(57)【要約】【課題】  コンテンツの記録動作あるいは出力動作を制御するための情報を正確かつ容易に作成できるようにする。【解決手段】  コンテンツ処理制御装置は、入力されたコンテンツを蓄積するコンテンツ蓄積部１０６と、コンテンツ蓄積部１０６に蓄積されたコンテンツに関する蓄積履歴情報とコンテンツ蓄積部１０６から出力されたコンテンツに関する出力履歴情報との少なくとも一方を記憶する履歴情報管理部１０７と、蓄積履歴情報と出力履歴情報との少なくとも一方に基づいて、コンテンツの記録動作を制御するための記録制御情報とコンテンツの出力動作を制御するための出力制御情報との少なくとも一方を作成する制御情報作成部１１４とを備えている。これにより、コンテンツの記録動作あるいは出力動作を制御するための制御情報を正確かつ容易に作成することができる。【選択図】  図１
2006148782.tif 000002
【特許請求の範囲】
【請求項１】
入力されたコンテンツを蓄積するコンテンツ蓄積手段と、
前記コンテンツ蓄積手段に蓄積されたコンテンツに関する蓄積履歴情報と前記コンテンツ蓄積手段から出力されたコンテンツに関する出力履歴情報との少なくとも一方を記憶する履歴情報管理手段と、
前記蓄積履歴情報と前記出力履歴情報との少なくとも一方に基づいて、コンテンツの記録動作を制御するための記録制御情報とコンテンツの出力動作を制御するための出力制御情報との少なくとも一方を作成する制御情報作成手段とを備えていることを特徴とするコンテンツ処理制御装置。
【請求項２】
入力されたコンテンツを前記記録制御情報に基づいて前記コンテンツ蓄積手段に記録させる記録制御手段を備えていることを特徴とする請求項１に記載のコンテンツ処理制御装置。
【請求項３】
前記コンテンツ蓄積手段に蓄積されているコンテンツを前記出力制御情報に基づいて出力する出力制御手段を備えていることを特徴とする請求項１に記載のコンテンツ処理制御装置。
【請求項４】
ユーザを特定するユーザ特定手段を備え、前記履歴情報管理手段は前記ユーザ特定手段において特定されたユーザ毎に前記蓄積履歴情報と前記出力履歴情報との少なくとも一方を記憶し、前記制御情報作成手段は、前記履歴情報管理手段に記憶されている、前記ユーザ特定手段にて特定されたユーザ毎の情報を使用して、前記制御情報を作成することを特徴とする請求項１に記載のコンテンツ処理制御装置。
【請求項５】
前記蓄積履歴情報は、少なくとも当該コンテンツ名、当該コンテンツ蓄積日、当該コンテンツが放送されている放送チャンネル、及び当該コンテンツの蓄積開始時刻を含み、さらに当該コンテンツの蓄積終了時刻、もしくは当該コンテンツの蓄積に要した時間の何れか一方を含むことを特徴とする請求項１に記載のコンテンツ処理制御装置。
【請求項６】
前記蓄積履歴情報は、少なくとも当該コンテンツに関するコンテンツ情報を含み、
前記コンテンツ情報は、少なくとも当該コンテンツの作成者、もしくは当該コンテンツの所有者の何れか一方を含み、さらに当該コンテンツの種類、当該コンテンツのサイズ、当該コンテンツの作成日時、当該コンテンツのジャンル、当該コンテンツのページ数、もしくは当該コンテンツの内容のうちの少なくとも一つを含むことを特徴とする請求項１に記載のコンテンツ処理制御装置。
【請求項７】
前記出力履歴情報は、少なくとも当該コンテンツ名、当該コンテンツの出力日時、及び当該コンテンツ内の出力開始位置を示す情報を含み、さらに当該コンテンツ内の出力終了位置を示す情報、もしくは当該コンテンツが出力された時間の何れか一方を含むことを特徴とする請求項１に記載のコンテンツ処理制御装置。
【請求項８】
前記出力履歴情報は、少なくとも当該コンテンツを出力した際のユーザによる操作履歴情報を含み、
前記操作履歴情報は、コンテンツに対する出力指示、当該コンテンツ内の出力指示の開始位置を示す情報、及び当該コンテンツ内の出力指示の終了位置を示す情報を含み、前記出力指示は、通常再生、早送り、巻戻し、一時停止、スロー再生、及びコマ送りのうちの少なくとも一つであることを特徴とする請求項１に記載のコンテンツ処理制御装置。
【請求項９】
ユーザの嗜好情報を記憶する嗜好情報管理手段と、
前記嗜好情報管理手段において記憶されている前記ユーザの嗜好情報に基づいて、前記コンテンツに対するユーザの嗜好度を算出する嗜好度算出手段とを備え、
前記制御情報作成手段は、前記ユーザの嗜好度に応じて、当該コンテンツの記録制御情報と当該コンテンツの出力制御情報との少なくとも一方を作成することを特徴とする請求項１に記載のコンテンツ処理制御装置。
【請求項１０】
前記制御情報作成手段は少なくとも前記記録制御情報を作成し、
前記記録制御情報は、当該コンテンツについての録画動作を制御するための録画制御情報であることを特徴とする請求項１に記載のコンテンツ処理制御装置。
【請求項１１】
前記録画制御情報は、少なくとも当該コンテンツの放送日、当該コンテンツの放送チャンネル、当該コンテンツの録画開始時刻、及び当該コンテンツの録画モードを含み、さらに当該コンテンツの録画終了時刻、もしくは当該コンテンツの録画時間の何れか一方を含むことを特徴とする請求項１０に記載のコンテンツ処理制御装置。
【請求項１２】
前記制御情報作成手段は少なくとも前記出力制御情報を作成し、
前記出力制御情報は、当該コンテンツについての再生動作を制御するための再生制御情報であることを特徴とする請求項１に記載のコンテンツ処理制御装置。
【請求項１３】
前記再生制御情報は、少なくとも当該コンテンツ名、及び当該コンテンツ内の再生開始位置を示す情報を含み、さらに当該コンテンツ内の再生終了位置を示す情報、もしくは当該コンテンツが再生される時間の何れか一方を含むことを特徴とする請求項１２に記載のコンテンツ処理制御装置。
【請求項１４】
前記出力制御情報は、当該コンテンツと当該コンテンツのコピーとの少なくとも一方についての出力動作を制御するための出力制御情報であることを特徴とする請求項１に記載のコンテンツ処理制御装置。
【請求項１５】
前記出力制御情報は、前記蓄積履歴情報と前記出力履歴情報との少なくとも一方からなることを特徴とする請求項１４に記載のコンテンツ処理制御装置。
【請求項１６】
コンテンツが記録される記録媒体の記録可能残量を検出する記録可能残量検出手段を備え、
前記制御情報作成手段は、前記記録可能残量検出手段により検出された前記記録媒体の記録可能残量に基づいて、当該コンテンツを録画する際の録画モードを決定することを特徴とする請求項１０に記載のコンテンツ処理制御装置。
【請求項１７】
前記録画制御情報の作成に使用されている、前記蓄積履歴情報に含まれるコンテンツの蓄積開始時刻、もしくは前記出力履歴情報に含まれる、コンテンツ内の出力開始位置を示す情報の何れか一方、またはこれら両者が当該コンテンツの放送開始時刻と異なる場合、前記制御情報作成手段は、当該コンテンツの前記録画制御情報に含まれる録画開始時刻を当該コンテンツの放送開始時刻と当該コンテンツの蓄積開始時刻もしくは当該コンテンツ内の出力開始位置との差分だけ当該コンテンツの放送開始時刻からずらして設定することを特徴とする請求項１１または１３に記載のコンテンツ処理制御装置。
【請求項１８】
前記再生制御情報の作成に使用されている、前記蓄積履歴情報に含まれるコンテンツの蓄積開始時刻、もしくは前記出力履歴情報に含まれる、コンテンツ内の出力開始位置を示す情報の何れか一方、またはこれら両者が当該コンテンツの放送開始時刻と異なる場合、前記制御情報作成手段は、当該コンテンツの前記再生制御情報に含まれる、当該コンテンツ内の再生開始位置を当該コンテンツの放送開始時刻と当該コンテンツの蓄積開始時刻もしくは当該コンテンツ内の出力開始位置との差分だけ当該コンテンツの再生開始位置からずらして設定することを特徴とする請求項１１または１３に記載のコンテンツ処理制御装置。
【請求項１９】
前記蓄積履歴情報にはコンテンツの蓄積終了時刻が含まれており、
さらに前記出力履歴情報にはコンテンツ内の出力終了位置を示す情報が含まれており、
前記録画制御情報の作成に使用されている、前記蓄積履歴情報に含まれるコンテンツの蓄積終了時刻、もしくは前記出力履歴情報に含まれる、コンテンツ内の出力終了位置を示す情報の何れか一方、またはこれら両者が当該コンテンツの放送終了時刻と異なる場合、前記制御情報作成手段は、当該コンテンツの前記録画制御情報に含まれる録画終了時刻を当該コンテンツの放送終了時刻と当該コンテンツの蓄積終了時刻もしくは当該コンテンツ内の出力終了位置との差分だけ当該コンテンツの放送終了時刻からずらして設定することを特徴とする請求項１１または１３に記載のコンテンツ処理制御装置。
【請求項２０】
前記蓄積履歴情報にはコンテンツの蓄積終了時刻が含まれており、
さらに前記出力履歴情報にはコンテンツ内の出力終了位置を示す情報が含まれており、
前記再生制御情報の作成に使用されている、前記蓄積履歴情報に含まれるコンテンツの蓄積終了時刻、もしくは前記出力履歴情報に含まれる、コンテンツ内の出力終了位置を示す情報の何れか一方、またはこれら両者が当該コンテンツの放送終了時刻と異なる場合、前記制御情報作成手段は、当該コンテンツの前記再生制御情報に含まれる、当該コンテンツ内の再生終了位置を当該コンテンツの放送終了時刻と当該コンテンツの蓄積終了時刻もしくは当該コンテンツ内の出力終了位置との差分だけ当該コンテンツの再生終了位置からずらして設定することを特徴とする請求項１１または１３に記載のコンテンツ処理制御装置。
【請求項２１】
前記蓄積履歴情報にはコンテンツの蓄積に要した時間が含まれており、
さらに前記出力履歴情報にはコンテンツが再生された時間が含まれており、
前記録画制御情報の作成に使用されている、前記蓄積履歴情報に含まれるコンテンツの蓄積に要した時間、もしくは前記出力履歴情報に含まれる、コンテンツが再生された時間の何れか一方、またはこれら両者が当該コンテンツの放送時間と異なる場合、前記制御情報作成手段は、当該コンテンツの前記録画制御情報に含まれる録画時間を当該コンテンツの放送時間と当該コンテンツの蓄積に要した時間もしくは当該コンテンツが再生された時間との差分だけ当該コンテンツの放送時間から減じて設定することを特徴とする請求項１１または１３に記載のコンテンツ処理制御装置。
【請求項２２】
前記蓄積履歴情報にはコンテンツの蓄積に要した時間が含まれており、
さらに前記出力履歴情報にはコンテンツが再生された時間が含まれており、
前記再生制御情報の作成に使用されている、前記蓄積履歴情報に含まれるコンテンツの蓄積に要した時間、もしくは前記出力履歴情報に含まれる、コンテンツが再生された時間の何れか一方、またはこれら両者が当該コンテンツの放送時間と異なる場合、前記制御情報作成手段は、当該コンテンツの前記再生制御情報に含まれる再生時間を当該コンテンツの放送時間と当該コンテンツの蓄積に要した時間もしくは当該コンテンツが再生された時間との差分だけ当該コンテンツの放送時間から減じて設定することを特徴とする請求項１１または１３に記載のコンテンツ処理制御装置。
【請求項２３】
前記出力履歴情報は、少なくとも当該コンテンツを出力した際のユーザによる操作履歴情報を含み、
さらに前記操作履歴情報として少なくとも早送りの開始位置を示す情報と早送りの終了位置を示す情報がそれぞれ対応付けて管理されている場合、
前記制御情報作成手段は、早送りが行われた間を除いた記録制御情報を作成する、もしくは早送りが行われた間を除いた出力制御情報を作成することを特徴とする請求項１に記載のコンテンツ処理制御装置。
【請求項２４】
入力されたコンテンツを蓄積するコンテンツ蓄積ステップと、
前記コンテンツ蓄積ステップにて蓄積されたコンテンツに関する蓄積履歴情報と前記コンテンツ蓄積ステップから出力されたコンテンツに関する出力履歴情報との少なくとも一方を記憶する履歴情報管理ステップと、
前記蓄積履歴情報と前記出力履歴情報との少なくとも一方に基づいて、コンテンツの記録動作を制御するための記録制御情報とコンテンツの出力動作を制御するための出力制御情報との少なくとも一方を作成する制御情報作成ステップとを備えていることを特徴とするコンテンツ処理制御方法。
【請求項２５】
請求項１から２３のいずれか一項に記載のコンテンツ処理制御装置を動作させるプログラムであって、コンピュータを上記の各手段として機能させるための処理制御プログラム。
【請求項２６】
請求項２５に記載の処理制御プログラムを記録したコンピュータ読み取り可能な記録媒体。
【発明の詳細な説明】
【技術分野】
【０００１】
本発明は、入力されたコンテンツを記録し、かつ記録したコンテンツを再生して出力するコンテンツ処理制御装置、コンテンツ処理制御方法、コンテンツ処理制御プログラム及びこれを記録したコンピュータ読み取り可能な記録媒体に関するものである。
【背景技術】
【０００２】
従来のコンテンツ録画機器では、コンテンツの録画予約をする方法として、放送日時、曜日、放送チャンネル、放送開始時刻、放送終了時刻及び記録媒体の録画モード等の各種予約録画情報を事前に入力する方法（以降、第１従来技術と称する）がある。
【０００３】
また、別の方法として、放送番組毎の予約録画情報をコード番号化し、そのコード番号を入力するGコード予約方法（以降、第２従来技術と称する）がある。
【０００４】
さらに、特許文献１（以降、第３従来技術と称する）には、コンテンツ録画機器において、過去の予約録画情報を記憶して表示し、その表示された過去の予約録画情報を基に、表示画面に従ってユーザが変更項目のみを変更設定することで予約録画が可能になる構成が開示されている。
【特許文献１】特開２００１−２５６６９３号公報（平成１３年９月２１日公開）
【発明の開示】
【発明が解決しようとする課題】
【０００５】
しかしながら、第１従来技術では、放送日時、曜日、放送チャンネル、放送開始時刻、放送終了時刻及び記録媒体の記録モード等の各種予約録画情報を順次キー操作して入力する必要があり、キー入力の操作が煩雑となる。
【０００６】
一方、第２従来技術では、第１従来技術に比べてキー入力の煩雑さは解消されるが、コード番号の入力時に、新聞や雑誌等の放送番組表から録画予約したい番組のコード番号を読み取ってキー入力するため、コード番号の入力ミスが生じやすい。
【０００７】
さらに、第３従来技術では、表示された過去の予約録画情報から今回録画予約したい番組の予約録画情報に最も近いものをユーザ自ら選択する必要がある。また、過去の予約録画情報と異なる部分はユーザ自ら手動で変更する必要があり、ユーザの操作が煩雑となる。
【０００８】
それゆえに、本発明の目的は、コンテンツの記録動作あるいは出力動作を制御するための情報を正確かつ容易に作成することができるコンテンツ処理制御装置、コンテンツ処理制御方法、コンテンツ処理制御プログラム、及びこれを記録したコンピュータ読み取り可能な記録媒体を提供することにある。
【課題を解決するための手段】
【０００９】
本発明のコンテンツ処理制御装置は、入力されたコンテンツを蓄積するコンテンツ蓄積手段と、コンテンツ蓄積手段に蓄積されたコンテンツに関する蓄積履歴情報とコンテンツ蓄積手段から出力されたコンテンツに関する出力履歴情報との少なくとも一方を記憶する履歴情報管理手段と、蓄積履歴情報と出力履歴情報との少なくとも一方に基づいて、コンテンツの記録動作を制御するための記録制御情報とコンテンツの出力動作を制御するための出力制御情報との少なくとも一方を作成する制御情報作成手段とを備える。
【００１０】
本発明のコンテンツ処理制御方法は、入力されたコンテンツを蓄積するコンテンツ蓄積ステップと、コンテンツ蓄積ステップにて蓄積されたコンテンツに関する蓄積履歴情報とコンテンツ蓄積ステップから出力されたコンテンツに関する出力履歴情報との少なくとも一方を記憶する履歴情報管理ステップと、蓄積履歴情報と出力履歴情報との少なくとも一方に基づいて、コンテンツの記録動作を制御するための記録制御情報とコンテンツの出力動作を制御するための出力制御情報との少なくとも一方を作成する制御情報作成ステップとを備える。
【００１１】
上記の構成によれば、コンテンツ蓄積手段に蓄積されたコンテンツに関する蓄積履歴情報、もしくはコンテンツ蓄積手段から出力されたコンテンツに関する出力履歴情報の少なくとも一方を使用して、制御情報作成手段はコンテンツの記録動作を制御するための記録制御情報、もしくはコンテンツの出力動作を制御するための出力制御情報との少なくとも一方を正確かつ容易に作成することができる。
【００１２】
なお、コンテンツとしては、写真や図などの静止画コンテンツ、テレビ放送やＤＶＤなどに記録された動画コンテンツ、テキストなどのドキュメントコンテンツ、及び音楽やラジオ放送などの音楽コンテンツなど、あらゆるマルチメディアコンテンツを含むものである。
【００１３】
上記のコンテンツ処理制御装置は、好ましくは、入力されたコンテンツを記録制御情報に基づいてコンテンツ蓄積手段に記録させる記録制御手段を備える。
【００１４】
このため、制御情報作成手段において作成された記録制御情報を使用して、コンテンツ蓄積手段に新しくコンテンツを入力することができる。
【００１５】
上記のコンテンツ処理制御装置は、好ましくは、コンテンツ蓄積手段に蓄積されているコンテンツを出力制御情報に基づいて出力する出力制御手段を備える。
【００１６】
このため、制御情報作成手段において作成された出力制御情報を使用して、コンテンツ蓄積手段に蓄積されているコンテンツを外部に出力することができる。
【００１７】
上記のコンテンツ処理制御装置は、好ましくは、ユーザを特定するユーザ特定手段を備え、履歴情報管理手段はユーザ特定手段において特定されたユーザ毎に蓄積履歴情報と出力履歴情報との少なくとも一方を記憶し、制御情報作成手段は、履歴情報管理手段に記憶されている、ユーザ特定手段にて特定されたユーザ毎の情報を使用して、前記制御情報を作成する。
【００１８】
このため、一つのコンテンツ処理制御装置を家族等の複数人で使用する際においても、履歴情報管理手段で記憶されている各情報がユーザ毎に記憶されるので、コンテンツ処理制御装置を使用する際に、使用するユーザを特定することで、特定されたユーザに応じた記録制御情報、もしくは出力制御情報の少なくとも一方を作成することができる。
【００１９】
上記のコンテンツ処理制御装置は、好ましくは、蓄積履歴情報は、少なくとも当該コンテンツ名、当該コンテンツ蓄積日、当該コンテンツが放送されている放送チャンネル、及び当該コンテンツの蓄積開始時刻を含み、さらに当該コンテンツの蓄積終了時刻、もしくは当該コンテンツの蓄積に要した時間の何れか一方を含む。
【００２０】
上記の構成によれば、当該コンテンツの蓄積開始時刻は必ず蓄積履歴情報に含まれているため、蓄積履歴情報に、当該コンテンツの蓄積終了時刻ではなく、当該コンテンツの蓄積に要した時間（以降、コンテンツの蓄積時間と称する）が含まれている場合、当該コンテンツの蓄積開始時刻に当該コンテンツの蓄積時間を加えることで、当該コンテンツの蓄積終了時刻を算出することができる。逆に、蓄積履歴情報に、当該コンテンツの蓄積時間ではなく、当該コンテンツの蓄積終了時刻が含まれている場合、当該コンテンツの蓄積終了時刻から当該コンテンツの蓄積開始時間を減算することで、当該コンテンツの蓄積時間を算出することができる。
【００２１】
これにより、蓄積履歴情報に、当該コンテンツの蓄積終了時刻、もしくは当該コンテンツの蓄積時間の何れが含まれていても、同様の情報を得ることができ、制御情報作成手段は、この蓄積履歴情報を使用した場合に、前記制御情報を適切に作成することができる。
【００２２】
上記のコンテンツ処理制御装置は、好ましくは、蓄積履歴情報は、少なくとも当該コンテンツに関するコンテンツ情報を含み、コンテンツ情報は、少なくとも当該コンテンツの作成者、もしくは当該コンテンツの所有者の何れか一方を含み、さらに当該コンテンツの種類、当該コンテンツのサイズ、当該コンテンツの作成日時、当該コンテンツのジャンル、当該コンテンツのページ数、もしくは当該コンテンツの内容のうちの少なくとも一つを含む。
【００２３】
このように、蓄積履歴情報は、コンテンツ蓄積手段に蓄積されたコンテンツのコンテンツ情報を含んでいるため、制御情報作成手段は、コンテンツ情報を使用することで、当該コンテンツの記録動作を制御するための記録制御情報を作成することができる。同様に、制御情報作成手段は、コンテンツ情報を使用することで、当該コンテンツの出力動作を制御するための出力制御情報を作成することができる。もしくは、制御情報作成手段が、コンテンツ情報を使用して、当該コンテンツと類似のコンテンツを判別する機能を備えているような場合では、制御情報作成手段はコンテンツ情報を使用することで、当該コンテンツと類似の別コンテンツの記録動作を制御するための記録制御情報、もしくは当該コンテンツと類似の別コンテンツの出力動作を制御するための出力制御情報を作成することができる。
【００２４】
上記のコンテンツ処理制御装置は、好ましくは、出力履歴情報は、少なくとも当該コンテンツ名、当該コンテンツの出力日時、及び当該コンテンツ内の出力開始位置を示す情報を含み、さらに当該コンテンツ内の出力終了位置を示す情報、もしくは当該コンテンツが出力された時間の何れか一方を含む。
【００２５】
上記の構成によれば、当該コンテンツの出力開始位置を示す情報は必ず出力履歴情報に含まれているため、出力履歴情報に、当該コンテンツ内の出力終了位置を示す情報ではなく、当該コンテンツが出力された時間（以降、コンテンツの出力時間と称する）が含まれている場合、当該コンテンツ内の出力開始位置から当該コンテンツの出力時間分進めることで、当該コンテンツ内の出力終了位置を算出することができる。逆に、出力履歴情報に、当該コンテンツの出力時間ではなく、当該コンテンツ内の出力終了位置を示す情報が含まれている場合、当該コンテンツ内の出力終了位置から当該コンテンツ内の出力開始位置を減算することで、当該コンテンツの出力時間を算出することができる。
【００２６】
これにより、出力履歴情報に、当該コンテンツ内の出力終了位置を示す情報、もしくは当該コンテンツの出力時間の何れが含まれていても、同様の情報を得ることがで、制御情報作成手段は、この出力履歴情報を使用した場合に、前記制御情報を適切に作成することができる。
【００２７】
上記のコンテンツ処理制御装置は、好ましくは、出力履歴情報は、少なくとも当該コンテンツを出力した際のユーザによる操作履歴情報を含み、操作履歴情報は、コンテンツに対する出力指示、当該コンテンツ内の出力指示の開始位置を示す情報、及び当該コンテンツ内の出力指示の終了位置を示す情報を含み、出力指示は、通常再生、早送り、巻戻し、一時停止、スロー再生、及びコマ送りのうちの少なくとも一つである。
【００２８】
このように、出力履歴情報は、コンテンツ蓄積手段に蓄積されたコンテンツを出力した際のユーザによる操作履歴情報を含んでいるため、制御情報作成手段は、操作履歴情報を使用することで、当該コンテンツの記録動作を制御するための記録制御情報を作成することができる。同様に、制御情報作成手段は、操作履歴情報を使用することで、当該コンテンツの出力動作を制御するための出力制御情報を作成することができる。もしくは、制御情報作成手段が、操作履歴情報を使用して、当該コンテンツと類似のコンテンツを判別し、さらに類似のコンテンツ上での操作履歴箇所を判別する機能を備えている場合では、制御情報作成手段は操作履歴情報を使用することで、当該コンテンツと類似の別コンテンツの記録動作を制御するための記録制御情報、もしくは当該コンテンツと類似の別コンテンツの出力動作を制御するための出力制御情報も作成することができる。
【００２９】
上記のコンテンツ処理制御装置は、好ましくは、ユーザの嗜好情報を記憶する嗜好情報管理手段と、嗜好情報管理手段において記憶されているユーザの嗜好情報に基づいて、コンテンツに対するユーザの嗜好度を算出する嗜好度算出手段とを備え、制御情報作成手段は、ユーザの嗜好度に応じて、当該コンテンツの記録制御情報と当該コンテンツの出力制御情報との少なくとも一方を作成する。
【００３０】
上記の構成によれば、嗜好度算出手段は嗜好情報管理手段において記憶されているユーザの嗜好情報を使用して、コンテンツ毎にユーザの嗜好度を算出し、制御情報作成手段は、算出された嗜好度に応じて、当該コンテンツの記録制御情報、もしくは出力制御情報の少なくとも一方を作成する。したがって、制御情報作成手段は、ユーザの嗜好を適切に反映した前記制御情報を作成することができる。
【００３１】
上記のコンテンツ処理制御装置は、好ましくは、制御情報作成手段は少なくとも記録制御情報を作成し、記録制御情報は、当該コンテンツについての録画動作を制御するための録画制御情報である。
【００３２】
上記のコンテンツ処理制御装置は、さらに好ましくは、録画制御情報は、少なくとも当該コンテンツの放送日、当該コンテンツの放送チャンネル、当該コンテンツの録画開始時刻、及び当該コンテンツの録画モードを含み、さらに当該コンテンツの録画終了時刻、もしくは当該コンテンツの録画時間の何れか一方を含む。
【００３３】
このため、制御情報作成手段は、録画動作を制御するコンテンツの放送日、当該コンテンツの放送チャンネル、当該コンテンツの録画開始時刻、当該コンテンツの録画モードを必ず含む録画制御情報を作成することができる。
【００３４】
上記の構成によれば、当該コンテンツの録画開始時刻は必ず録画制御情報に含まれているため、録画制御情報に、当該コンテンツの録画終了時刻ではなく、当該コンテンツの録画時間が含まれている場合、当該コンテンツの録画開始時刻に当該コンテンツの録画時間を加えることで、当該コンテンツの録画終了時刻を算出することができる。逆に、録画制御情報に、当該コンテンツの録画時間ではなく、当該コンテンツの録画終了時刻が含まれている場合、当該コンテンツの録画終了時刻から当該コンテンツの録画開始時間を減算することで、当該コンテンツの録画時間を算出することができる。
【００３５】
これにより、録画制御情報に、当該コンテンツの録画終了時刻、もしくは当該コンテンツの録画時間の何れが含まれていても、同様の情報を得ることができ、制御情報作成手段は、この録画制御情報を使用した場合に、前記録画制御情報を作成することができる。
【００３６】
上記のコンテンツ処理制御装置は、好ましくは、制御情報作成手段は少なくとも出力制御情報を作成し、出力制御情報は、当該コンテンツについての再生動作を制御するための再生制御情報である。
【００３７】
上記のコンテンツ処理制御装置は、さらに好ましくは、再生制御情報は、少なくとも当該コンテンツ名、及び当該コンテンツ内の再生開始位置を示す情報を含み、さらに当該コンテンツ内の再生終了位置を示す情報、もしくは当該コンテンツが再生される時間の何れか一方を含む。
【００３８】
このため、制御情報作成手段は、再生制御するコンテンツ名、当該コンテンツ内の再生開始位置を示す情報を必ず含む再生制御情報を作成することができる。
【００３９】
上記の構成によれば、当該コンテンツの再生開始位置を示す情報は必ず再生制御情報に含まれているため、再生制御情報に、当該コンテンツの再生終了位置を示す情報ではなく、当該コンテンツが再生された時間（以降、コンテンツの再生時間の称する）が含まれている場合、当該コンテンツの再生開始位置に当該コンテンツの再生時間を加えることで、当該コンテンツの再生終了位置を算出することができる。逆に、再生制御情報に、当該コンテンツの再生時間ではなく、当該コンテンツの再生終了位置を示す情報が含まれている場合、当該コンテンツの再生終了位置から当該コンテンツの再生開始位置を減算することで、当該コンテンツの再生時間を算出することができる。
【００４０】
これにより、再生制御情報に、当該コンテンツの再生終了位置を示す情報、もしくは当該コンテンツの再生時間の何れが含まれていても、同様の情報を得ることができ、制御情報作成手段は、この再生制御情報を使用した場合に、前記再生制御情報を作成することができる。
【００４１】
上記のコンテンツ処理制御装置は、好ましくは、出力制御情報は、当該コンテンツと当該コンテンツのコピーとの少なくとも一方についての出力動作を制御するための出力制御情報である。
【００４２】
上記のコンテンツ処理制御装置は、さらに好ましくは、出力制御情報は、蓄積履歴情報と出力履歴情報との少なくとも一方からなる。
【００４３】
このため、コピー機や複写機等でドキュメントをコピー、もしくはプリントした際の蓄積履歴情報、もしくは出力履歴情報を履歴情報管理手段において記憶しておくことで、当該ドキュメント、もしくは当該ドキュメントと類似のドキュメントの少なくとも一方を出力する際の出力制御情報を作成することができる。
【００４４】
上記のコンテンツ処理制御装置は、好ましくは、コンテンツが記録される記録媒体の記録可能残量を検出する記録可能残量検出手段を備え、制御情報作成手段は、記録可能残量検出手段により検出された記録媒体の記録可能残量に基づいて、当該コンテンツを録画する際の録画モードを決定する。
【００４５】
上記の構成によれば、記録可能残量検出手段はハードディスク等の記録媒体の記録可能残量を検出し、記録可能残量検出手段にて検出された記録可能残量が例えば少ない状況では、制御情報作成手段は、コンテンツを録画する際の録画モードを低画質モードで録画するという録画制御情報を作成することができ、記録媒体の状況に応じた録画制御情報を作成することができる。
【００４６】
上記のコンテンツ処理制御装置は、好ましくは、録画制御情報の作成に使用されている、蓄積履歴情報に含まれるコンテンツの蓄積開始時刻、もしくは出力履歴情報に含まれる、コンテンツ内の出力開始位置を示す情報の何れか一方、またはこれら両者が当該コンテンツの放送開始時刻と異なる場合、制御情報作成手段は、当該コンテンツの前記録画制御情報に含まれる録画開始時刻を当該コンテンツの放送開始時刻と当該コンテンツの蓄積開始時刻もしくは当該コンテンツ内の出力開始位置との差分だけ当該コンテンツの放送開始時刻からずらして設定する。
【００４７】
上記の構成によれば、ユーザの過去のコンテンツ録画時の蓄積履歴情報、もしくはユーザの過去のコンテンツの再生時の出力履歴情報の何れか一方、もしくはこれら両者を使用することで、当該コンテンツ、もしくは当該コンテンツと同じシリーズの別コンテンツの少なくとも一方を録画する際の録画制御情報を作成することができる。
【００４８】
例えば、コンテンツの蓄積開始時刻が当該コンテンツの放送開始時刻よりも遅い場合、当該コンテンツと同じシリーズの別コンテンツを録画する際の録画開始時刻は、コンテンツの放送開始時刻とコンテンツの蓄積開始時刻との差分時間分だけ当該コンテンツの放送開始時刻よりも遅く設定される。
【００４９】
同様に、例えば、コンテンツの出力開始位置が当該コンテンツの放送開始時刻よりも遅い場合、当該コンテンツ、もしくは当該コンテンツと同じシリーズの別コンテンツの少なくとも一方を録画する際の録画開始時刻は、コンテンツの放送開始時刻とコンテンツの出力開始位置との差分時間分だけ当該コンテンツの放送開始時刻よりも遅く設定される。
【００５０】
したがって、制御情報作成手段は、ユーザの過去のコンテンツ録画開示時刻、もしくはユーザの過去のコンテンツ再生時の再生開始位置を反映させて、当該コンテンツ、もしくは当該コンテンツと同じシリーズの別コンテンツの録画開始時刻を設定することができる。
【００５１】
上記のコンテンツ処理制御装置は、好ましくは、再生制御情報の作成に使用されている、蓄積履歴情報に含まれるコンテンツの蓄積開始時刻、もしくは出力履歴情報に含まれる、コンテンツ内の出力開始位置を示す情報の何れか一方、またはこれら両者が当該コンテンツの放送開始時刻と異なる場合、制御情報作成手段は、当該コンテンツの再生制御情報に含まれる、当該コンテンツ内の再生開始位置を当該コンテンツの放送開始時刻と当該コンテンツの蓄積開始時刻もしくは当該コンテンツ内の出力開始位置との差分だけ当該コンテンツの再生開始位置からずらして設定する。
【００５２】
上記の構成によれば、ユーザの過去のコンテンツ録画時の蓄積履歴情報、もしくはユーザの過去のコンテンツの再生時の出力履歴情報の何れか一方、もしくはこれら両者を使用することで、当該コンテンツ、もしくは当該コンテンツと同じシリーズの別コンテンツの少なくとも一方を再生する際の再生制御情報を作成することができる。
【００５３】
例えば、コンテンツの蓄積開始時刻が当該コンテンツの放送開始時刻よりも遅い場合、当該コンテンツと同じシリーズの別コンテンツ再生する際の再生開始位置は、コンテンツの放送開始時刻とコンテンツの蓄積開始時刻との差分時間分だけ当該コンテンツの再生開始位置よりも遅く設定される。
【００５４】
同様に、例えば、コンテンツの出力開始位置が当該コンテンツの放送開始時刻よりも遅い場合、当該コンテンツ、もしくは当該コンテンツと同じシリーズの別コンテンツの少なくとも一方を再生する際の再生開始位置は、コンテンツの放送開始時刻とコンテンツの出力開始位置との差分時間分だけ当該コンテンツの再生開始位置よりも遅く設定される。
【００５５】
したがって、制御情報作成手段は、ユーザの過去のコンテンツ録画開示時刻、もしくはユーザの過去のコンテンツ再生時の再生開始位置を反映させて、当該コンテンツ、もしくは当該コンテンツと同じシリーズの別コンテンツの再生開始位置を設定することができる。
【００５６】
上記のコンテンツ処理制御装置は、好ましくは、蓄積履歴情報にはコンテンツの蓄積終了時刻が含まれており、さらに出力履歴情報にはコンテンツ内の出力終了位置を示す情報が含まれており、録画制御情報の作成に使用されている、蓄積履歴情報に含まれるコンテンツの蓄積終了時刻、もしくは出力履歴情報に含まれる、コンテンツ内の出力終了位置を示す情報の何れか一方、またはこれら両者が当該コンテンツの放送終了時刻と異なる場合、制御情報作成手段は、当該コンテンツの録画制御情報に含まれる録画終了時刻を当該コンテンツの放送終了時刻と当該コンテンツの蓄積終了時刻もしくは当該コンテンツ内の出力終了位置との差分だけ当該コンテンツの放送終了時刻からずらして設定する。
【００５７】
上記の構成によれば、ユーザの過去のコンテンツ録画時の蓄積履歴情報、もしくはユーザの過去のコンテンツの再生時の出力履歴情報の何れか一方、もしくはこれら両者を使用することで、当該コンテンツ、もしくは当該コンテンツと同じシリーズの別コンテンツの少なくとも一方を録画する際の録画制御情報を作成することができる。
【００５８】
例えば、コンテンツの蓄積終了時刻が当該コンテンツの放送終了時刻よりも早い場合、当該コンテンツと同じシリーズの別コンテンツを録画する際の録画終了時刻は、コンテンツの放送終了時刻とコンテンツの蓄積終了時刻との差分時間分だけ当該コンテンツの放送終了時刻よりも早く設定される。
【００５９】
同様に、例えば、コンテンツの出力終了位置が当該コンテンツの放送終了時刻よりも早い場合、当該コンテンツと同じシリーズの別コンテンツを録画する際の録画終了時刻は、コンテンツの放送終了時刻とコンテンツの出力終了位置との差分時間分だけ当該コンテンツの放送終了時刻よりも早く設定される。
【００６０】
したがって、制御情報作成手段は、ユーザの過去のコンテンツ録画終了時刻、もしくはユーザの過去のコンテンツ再生時の再生終了位置を反映させて、当該コンテンツ、もしくは当該コンテンツと同じシリーズの別コンテンツの録画終了時刻を設定することができる。
【００６１】
上記のコンテンツ処理制御装置は、好ましくは、蓄積履歴情報にはコンテンツの蓄積終了時刻が含まれており、さらに出力履歴情報にはコンテンツ内の出力終了位置を示す情報が含まれており、再生制御情報の作成に使用されている、蓄積履歴情報に含まれるコンテンツの蓄積終了時刻、もしくは出力履歴情報に含まれる、コンテンツ内の出力終了位置を示す情報の何れか一方、またはこれら両者が当該コンテンツの放送終了時刻と異なる場合、制御情報作成手段は、当該コンテンツの再生制御情報に含まれる、当該コンテンツ内の再生終了位置を当該コンテンツの放送終了時刻と当該コンテンツの蓄積終了時刻もしくは当該コンテンツ内の出力終了位置との差分だけ当該コンテンツの再生終了位置からずらして設定する。
【００６２】
上記の構成によれば、ユーザの過去のコンテンツ録画時の蓄積履歴情報、もしくはユーザの過去のコンテンツの再生時の出力履歴情報の何れか一方、もしくはこれら両者を使用することで、当該コンテンツ、もしくは当該コンテンツと同じシリーズの別コンテンツの少なくとも一方を再生する際の再生制御情報を作成することができる。
【００６３】
例えば、コンテンツの蓄積終了時刻が当該コンテンツの放送終了時刻よりも早い場合、当該コンテンツと同じシリーズの別コンテンツ再生する際の再生終了位置は、コンテンツの放送終了時刻とコンテンツの蓄積終了時刻との差分時間分だけ当該コンテンツの再生終了位置よりも早く設定される。
【００６４】
同様に、例えば、コンテンツの出力終了位置が当該コンテンツの放送終了時刻よりも早い場合、当該コンテンツ、もしくは当該コンテンツと同じシリーズの別コンテンツの少なくとも一方を再生する際の再生終了位置は、コンテンツの放送終了時刻とコンテンツの出力終了位置との差分時間分だけ当該コンテンツの再生終了位置よりも早く設定される。
【００６５】
したがって、制御情報作成手段は、ユーザの過去のコンテンツ録画終了時刻、もしくはユーザの過去のコンテンツ再生時の再生終了位置を反映させて、当該コンテンツ、もしくは当該コンテンツと同じシリーズの別コンテンツの再生終了時刻を設定することができる。
【００６６】
上記のコンテンツ処理制御装置は、好ましくは、蓄積履歴情報にはコンテンツの蓄積に要した時間が含まれており、さらに出力履歴情報にはコンテンツが再生された時間が含まれており、録画制御情報の作成に使用されている、蓄積履歴情報に含まれるコンテンツの蓄積に要した時間、もしくは出力履歴情報に含まれる、コンテンツが再生された時間の何れか一方、またはこれら両者が当該コンテンツの放送時間と異なる場合、制御情報作成手段は、当該コンテンツの録画制御情報に含まれる録画時間を当該コンテンツの放送時間と当該コンテンツの蓄積に要した時間もしくは当該コンテンツが再生された時間との差分だけ当該コンテンツの放送時間から減じて設定する。
【００６７】
上記の構成によれば、ユーザの過去のコンテンツ録画時の蓄積履歴情報、もしくはユーザの過去のコンテンツの再生時の出力履歴情報の何れか一方、もしくはこれら両者を使用することで、当該コンテンツ、もしくは当該コンテンツと同じシリーズの別コンテンツの少なくとも一方を録画する際の録画制御情報を作成することができる。
【００６８】
例えば、コンテンツの蓄積時間が当該コンテンツの放送時間よりも短い場合、当該コンテンツと同じシリーズの別コンテンツを録画する際の録画時間は、コンテンツの放送時間とコンテンツの蓄積時間との差分時間分だけ当該コンテンツの放送時間よりも短く設定される。
【００６９】
同様に、例えば、コンテンツの出力時間が当該コンテンツの放送時間よりも短い場合、当該コンテンツと同じシリーズの別コンテンツを録画する際の録画時間は、コンテンツの放送時間とコンテンツの出力時間との差分時間分だけ当該コンテンツの放送時間よりも短く設定される。
【００７０】
したがって、制御情報作成手段は、ユーザの過去のコンテンツ録画時間、もしくはユーザの過去のコンテンツ再生時の再生時間を反映させて、当該コンテンツ、もしくは当該コンテンツと同じシリーズの別コンテンツの録画時間を設定することができる。
【００７１】
上記のコンテンツ処理制御装置は、好ましくは、蓄積履歴情報にはコンテンツの蓄積に要した時間が含まれており、さらに出力履歴情報にはコンテンツが再生された時間が含まれており、再生制御情報の作成に使用されている、蓄積履歴情報に含まれるコンテンツの蓄積に要した時間、もしくは出力履歴情報に含まれる、コンテンツが再生された時間の何れか一方、またはこれら両者が当該コンテンツの放送時間と異なる場合、制御情報作成手段は、当該コンテンツの再生制御情報に含まれる再生時間を当該コンテンツの放送時間と当該コンテンツの蓄積に要した時間もしくは当該コンテンツが再生された時間との差分だけ当該コンテンツの放送時間から減じて設定する。
【００７２】
上記の構成によれば、ユーザの過去のコンテンツ録画時の蓄積履歴情報、もしくはユーザの過去のコンテンツの再生時の出力履歴情報の何れか一方、もしくはこれら両者を使用することで、当該コンテンツ、もしくは当該コンテンツと同じシリーズの別コンテンツの少なくとも一方を再生する際の再生制御情報を作成することができる。
【００７３】
例えば、コンテンツの蓄積時間が当該コンテンツの放送時間よりも短い場合、当該コンテンツと同じシリーズの別コンテンツを再生する際の再生時間は、コンテンツの放送時間とコンテンツの蓄積時間との差分時間分だけ当該コンテンツの再生時間よりも短く設定される。
【００７４】
同様に、例えば、コンテンツの出力時間が当該コンテンツの放送時間よりも短い場合、当該コンテンツと同じシリーズの別コンテンツを再生する際の再生時間は、コンテンツの放送時間とコンテンツの再生時間との差分時間分だけ当該コンテンツの放送時間よりも短く設定される。
【００７５】
したがって、制御情報作成手段は、ユーザの過去のコンテンツ録画時間、もしくはユーザの過去のコンテンツ再生時の再生時間を反映させて、当該コンテンツと同じシリーズの別コンテンツの再生時間を設定することができる。
【００７６】
上記のコンテンツ処理制御装置は、好ましくは、出力履歴情報は、少なくとも当該コンテンツを出力した際のユーザによる操作履歴情報を含み、さらに操作履歴情報として少なくとも早送りの開始位置を示す情報と早送りの終了位置を示す情報がそれぞれ対応付けて管理されている場合、制御情報作成手段は、早送りが行われた間を除いた記録制御情報を作成する、もしくは早送りが行われた間を除いた出力制御情報を作成する。
【００７７】
このため、ユーザが過去のコンテンツ視聴時に早送りを行った部分は、当該コンテンツ、もしくは当該コンテンツと同じシリーズの別コンテンツの少なくとも一方を録画する際に、早送りを行った部分を除いて録画するような録画制御情報を作成することができる。
【００７８】
同様に、当該コンテンツ、もしくは当該コンテンツと同じシリーズの別コンテンツの少なくとも一方を再生する際に、早送りを行った部分を除いて再生するような再生制御情報を作成することもできる。
【００７９】
したがって、制御情報作成手段は、ユーザの過去のコンテンツ視聴時の操作履歴情報を反映させて、当該コンテンツ、もしくは当該コンテンツと同じシリーズの別コンテンツの録画制御情報、もしくは再生制御情報を作成することができる。
【発明の効果】
【００８０】
本発明のコンテンツ処理制御装置によると、コンテンツ蓄積手段に蓄積されたコンテンツに関する蓄積履歴情報、もしくはコンテンツ蓄積手段から出力されたコンテンツに関する出力履歴情報の少なくとも一方を使用して、コンテンツの記録動作を制御するための記録制御情報、もしくはコンテンツの出力動作を制御するための出力制御情報を作成することができる。
【００８１】
また、当該コンテンツに限らず、当該コンテンツと同じシリーズである別のコンテンツに対しても同様に、コンテンツの記録動作を制御するための記録制御情報、もしくはコンテンツの出力動作を制御するための出力制御情報を作成することができる。
【発明を実施するための最良の形態】
【００８２】
以下、図面を参照しつつ本発明の一実施の形態について説明する。なお、以下の説明に用いる図面では、同一の部品に同一の符号を付してある。それらの名称及び機能も同一である。従って、それらについての詳細な説明は繰り返さない。
【００８３】
（機能的構成）
図１には、本実施の形態に係るコンテンツ処理制御装置１００の機能的構成のブロック図を示す。
【００８４】
図１に示すように、コンテンツ処理制御装置１００は、受信部１０１、入力部１０２、入力部１０３、及びユーザ認識部１０４を備えている。さらに、コンテンツ処理制御装置１００は、コンテンツ蓄積処理部１０５、コンテンツ蓄積部１０６、履歴情報管理部１０７、嗜好情報管理部１０８、履歴情報抽出部１０９、コンテンツ情報抽出部１１０、嗜好情報抽出部１１１、嗜好度算出部１１２、記録可能残量検出部１１３、制御情報作成部１１４、コンテンツ出力処理部１１５、及び制御情報出力部１１６を備えている。
【００８５】
コンテンツは、例えば写真や図などの静止画コンテンツ、テレビ放送やＤＶＤなどに記録された動画コンテンツ、テキストなどのドキュメントコンテンツ、及び音楽やラジオ放送などの音楽コンテンツなど、あらゆるマルチメディアコンテンツを指すものとする。
【００８６】
受信部１０１は、ネットワーク経由などからコンテンツ１０を受信する。ただし、ネットワークの形態は限定されない。有線であっても無線であっても構わない。
【００８７】
入力部１０２は、記録媒体１１からコンテンツを入力するためのものである。
【００８８】
入力部１０３は、ユーザの嗜好情報１３を入力するためのものである。ここで、入力されるユーザの嗜好情報は特に限定されない。例えば、ユーザの好みの人物、ユーザの好みを表すキーワード、ユーザの好みのジャンル、もしくはユーザの好みのコンテンツなどであっても構わない。
【００８９】
ユーザ認識部１０４は、入力されたユーザ識別情報１２から、現在装置を使用しているユーザを認識する。
【００９０】
コンテンツ蓄積処理部１０５は、受信部１０１もしくは入力部１０２を介して入力されたコンテンツについてコンテンツ蓄積部１０６への録画処理（蓄積処理）を行う。
【００９１】
コンテンツ蓄積部１０６は、コンテンツ蓄積処理部１０５において録画処理されたコンテンツを蓄積する。なお、コンテンツにコンテンツ情報が付属している場合、コンテンツ蓄積部１０６は、当該コンテンツと対応付けてコンテンツ情報も蓄積する。
【００９２】
ここで、コンテンツ情報とは、当該コンテンツのジャンル、当該コンテンツの内容、もしくは当該コンテンツの出演者など、当該コンテンツの内容を示す情報全てを指す。さらに、当該コンテンツがドキュメント類であれば、当該コンテンツのコンテンツ情報は、当該コンテンツの作成者、当該コンテンツの所有者、当該コンテンツの種類、当該コンテンツのサイズ（データサイズ）、当該コンテンツの作成日時、当該コンテンツのジャンル、当該コンテンツのページ数、もしくは当該コンテンツの内容などを指す。
【００９３】
履歴情報管理部１０７は、コンテンツを蓄積した際の蓄積履歴情報とコンテンツを出力した際の出力履歴情報とを記憶する。
【００９４】
履歴情報管理部１０７は、ユーザ認識部１０４において、ユーザが認識された場合、認識されたユーザ毎に上記蓄積履歴情報と上記出力履歴情報とを記憶する。嗜好情報管理部１０８は、入力部１０３を介して入力されたユーザ嗜好情報１３を記憶する。さらに、ユーザ認識部１０４において、ユーザが認識された場合、嗜好情報管理部１０８は、認識されたユーザ毎にユーザ嗜好情報１３を記憶する。上記のユーザ嗜好情報１３は、例えばユーザの好みの人物、ユーザの好みを表すキーワード、ユーザの好みのジャンル、もしくはユーザの好みの番組名などである。なお、このユーザ嗜好情報１３は、ユーザ自らがコンテンツ処理制御装置１００に入力した情報であってもよいし、外部機器によって自動抽出されたユーザの嗜好情報をユーザ嗜好情報としてコンテンツ処理制御装置１００に入力したものであっても構わない。
【００９５】
履歴情報抽出部１０９は、履歴情報管理部１０７において記憶されている蓄積履歴情報と出力履歴情報とを抽出する。
【００９６】
コンテンツ情報抽出部１１０は、コンテンツ蓄積部１０６において記憶されているコンテンツ情報と外部から入力されるコンテンツ情報１４とを抽出する。
【００９７】
嗜好情報抽出部１１１は、嗜好情報管理部１０８において記憶されているユーザ嗜好情報を抽出する。
【００９８】
嗜好度算出部１１２は、コンテンツ情報抽出部１１０において抽出されたコンテンツ情報と、嗜好情報抽出部１１１において抽出されたユーザ嗜好情報を使用して、当該コンテンツに対するユーザの嗜好度を算出する。
【００９９】
記録可能残量検出部１１３は、記録媒体１５等の記録可能残量を検出する。
【０１００】
制御情報作成部１１４は、コンテンツの記録動作を制御するための記録制御情報（録画制御情報）とコンテンツの出力動作を制御するための出力制御情報（再生制御情報）とを作成する。なお、記録制御情報と出力制御情報とを作成するために、制御情報作成部１１４は履歴情報抽出部１０９において抽出された情報、コンテンツ情報抽出部１１０において抽出されたコンテンツ情報、嗜好度算出部１１２において算出された嗜好度、及び記録可能残量検出部１１３において検出された記録可能残量を示す情報を使用する。
【０１０１】
コンテンツ出力処理部１１５は、コンテンツ蓄積部１０６において蓄積されているコンテンツを表示装置１６に表示するための再生処理を行う。
【０１０２】
制御情報出力部１１６は、制御情報作成部１１４において作成された記録制御情報と出力制御情報を所定の外部機器１７もしくはユーザ（ユーザ所有機器）１８に出力する。
【０１０３】
（コンテンツ処理制御装置１００を実現するコンピュータシステムの構成）
本実施の形態に係るコンテンツ処理制御装置１００は、実質的には、コンピュータハードウェアと、そのコンピュータハードウェアにより実行されるプログラムと、コンピュータハードウェアに格納されるデータとにより実現される。図２に、このコンピュータシステム２００の内部構成を示す。
【０１０４】
図２を参照して、このコンピュータシステム２００は、光ディスクドライブ２０１及び磁気ディスクドライブ２０２を有するコンピュータ２２０と、モニタ２０３と、リモートコントローラ（以下、「リモコン」と呼ぶ）２０４とを含む。
【０１０５】
コンピュータ２２０は、光ディスクドライブ２０１及び磁気ディスクドライブ２０２に加えて、リモコン２０４からの信号を受信するリモコンインタフェース（Ｉ／Ｆ）２０５と、ＣＰＵ（中央処理装置）２０６と、リモコンインタフェース２０５、ＣＰＵ２０６、光ディスクドライブ２０１及び磁気ディスクドライブ２０２に接続されたバス２０７と、バス２０７に接続され、ブートアッププログラム等を記憶する読出専用メモリ（ＲＯＭ）２０８と、同じくバス２０７に接続され、プログラム命令、システムプログラム、及び作業データ等を記憶するランダムアクセスメモリ（ＲＡＭ）２０９とを含む。
【０１０６】
ここでは示さないが、コンピュータ２２０はさらにローカルエリアネットワーク（ＬＡＮ）への接続を提供するネットワークアダプタボードを含んでもよい。
【０１０７】
コンピュータシステム２００にコンテンツ処理制御装置１００の機能を実現させるためのプログラム、コンテンツ１０（図１参照）、ユーザ識別情報１２、ユーザ嗜好情報１３、及びコンテンツ情報１４はいずれも、光ディスクドライブ２０１又は磁気ディスクドライブ２０２に挿入される光ディスク２１０又は磁気ディスク２１１に記憶され、さらにハードディスク２１２に転送される。又は、プログラム、コンテンツ１０、ユーザ識別情報１２、ユーザ嗜好情報１３、及びコンテンツ情報１４は図示しないネットワークを通じてコンピュータ２２０に送信されハードディスク２１２に記憶されてもよい。プログラムは実行の際にＲＡＭ２０９にロードされる。光ディスク２１０から、磁気ディスク２１１から、又はネットワークを介して、直接にＲＡＭ２０９にプログラムをロードしてもよい。
【０１０８】
このプログラムは、コンピュータ２２０に本実施の形態に係るコンテンツ処理制御装置１００の機能を実現させる複数の命令を含む。これら機能を実現させるのに必要な基本的機能のいくつかはコンピュータ２２０上で動作するオペレーティングシステム（ＯＳ）又はサードパーティのプログラム、若しくはコンピュータ２２０にインストールされる各種ツールキットのモジュールにより提供される。したがって、このプログラムはこの実施の形態に係るコンテンツ処理制御装置１００の機能を実現するのに必要な機能全てを必ずしも含まなくてよい。このプログラムは、命令のうち、所望の結果が得られるように制御されたやり方で適切な機能又は「ツール」を呼出すことにより、上記したコンテンツ処理制御装置１００の制御を実行する命令のみを含んでいればよい。コンピュータシステム２００の動作は周知であるので、ここでは繰り返さない。
【０１０９】
なお、コンテンツ処理制御装置１００の機能を実現するためのプログラム、コンテンツ１０（図１参照）、ユーザ識別情報１２、ユーザ嗜好情報１３、又はコンテンツ情報１４が記録される記録媒体は、ＣＤ−ＲＯＭ（コンパクトディスク読取専用メモリ）、ＭＯ（Ｍａｇｎｅｔｏ−Ｏｐｔｉｃａｌ  ｄｉｓｃ）、ＭＤ（Ｍｉｎｉ  Ｄｉｓｃ）、及びＤＶＤ（Ｄｉｇｉｔａｌ  Ｖｅｒｓａｔｉｌｅ  Ｄｉｓｃ）等の光ディスク２１０、ＦＤ（フレキシブルディスク）及びハードディスク等の磁気ディスク２１１に限らない。磁気テープ及びカセットテープ等のテープ、ＩＣ（Ｉｎｔｅｇｒａｔｅｄ  Ｃｉｒｃｕｉｔ）カード及び光カード等のカード型記録媒体、並びにマスクＲＯＭ、ＥＰＲＯＭ（Ｅｒａｓａｂｌｅ  Ｐｒｏｇｒａｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍａｂｌｅ  ＲＯＭ）、及びフラッシュＲＯＭ等の半導体メモリのいずれかでもよい。ただし、コンピュータシステム２００は、これら記録媒体からの読出を行なうための読出装置を実装する必要がある。
【０１１０】
（全体動作の概要）
本実施の形態に係るコンテンツ処理制御装置１００は、履歴情報管理部１０７において記録されている蓄積履歴情報、出力履歴情報、コンテンツ蓄積部１０６において蓄積されているコンテンツ情報、外部から入力されるコンテンツ情報、嗜好情報管理部１０８において記憶されているユーザ嗜好情報、及び記録媒体等の記録可能残量を示す情報のうちの少なくとも一つの情報を使用して、記録制御情報や出力制御情報などの制御情報を作成する。以下に、制御情報を作成する際の動作を含むコンテンツ処理制御装置１００の全体動作の概要について説明する。
【０１１１】
コンテンツ処理制御装置１００において、受信部１０１にて受信され、あるいは記録媒体１１から入力部１０２を介して入力されたコンテンツ（コンテンツ１０）は、コンテンツ蓄積処理部１０５において録画処理を行い、コンテンツ蓄積部１０６において蓄積・管理される。この時、コンテンツ蓄積処理部１０５においてコンテンツを録画した際の蓄積履歴情報は履歴情報管理部１０７において記憶される。
【０１１２】
入力部１０３を介して入力されたユーザ嗜好情報１３は、嗜好情報管理部１０８において管理される。
【０１１３】
制御情報作成部１１４は、蓄積履歴情報、出力履歴情報、コンテンツ情報、コンテンツに対するユーザ嗜好度、及び記録可能残量を示す情報のうちの少なくとも一つの情報を使用して、当該コンテンツに関する記録制御情報と出力制御情報との少なくとも一方の制御情報を作成する。
【０１１４】
なお、蓄積履歴情報と出力履歴情報は、履歴情報抽出部１０８において履歴情報管理部１０７から抽出される。コンテンツ情報は、コンテンツ情報抽出部１１０においてコンテンツ蓄積部１０６から抽出される。コンテンツに対するユーザの嗜好度は、嗜好情報抽出部１１１において嗜好情報管理部１０８から抽出されたユーザ嗜好情報と、コンテンツ情報抽出部１１０においてコンテンツ蓄積部１０６から抽出されたコンテンツ情報を使用して、嗜好度算出部１１２において算出される。記録可能残量を示す情報は、記録可能残量検出部１１３において検出された記録媒体１５等の記録可能残量である。
【０１１５】
制御情報作成部１１４において作成された記録制御情報を基に、コンテンツ蓄積処理部１０５は録画処理を行い、コンテンツ蓄積部１０６にコンテンツを蓄積する。そして、録画処理を行った際の蓄積履歴情報は、履歴情報管理部１０７において記憶される。
【０１１６】
また、制御情報作成部１１４において作成された出力制御情報を基に、コンテンツ出力処理部１１５は再生処理を行い、コンテンツ蓄積部１０６において蓄積されているコンテンツを表示装置１６に表示する。そして、再生処理を行った際の出力履歴情報は、履歴情報管理部１０７において記録される。
【０１１７】
（主要動作の概要）
図３は、コンテンツ処理制御装置１００の主要動作の概要を示すフローチャートである。
【０１１８】
図３を参照して、コンテンツ処理制御装置１００の電源が入れられると、プログラム３００が起動し、ステップS３０１に進む。
【０１１９】
ステップＳ３０１では、制御情報の作成処理を行う。制御情報作成処理の詳細については後述する。
【０１２０】
ステップＳ３０２では、制御情報の作成に成功したか否かの判定を行う。制御情報の作成に成功した場合はステップＳ３０３へ進み、制御情報の作成に失敗した場合は処理を終了する。
【０１２１】
ステップＳ３０３では、ステップＳ３０２において作成された制御情報の種類を判定する。ステップＳ３０２において作成された制御情報が録画制御情報である場合はステップＳ３０４へ進み、再生制御情報である場合はステップＳ３０５へ進み、それ以外である場合はステップＳ３０６へ進む。
【０１２２】
ステップＳ３０４では、コンテンツ蓄積処理部１０５は、作成された録画制御情報に基づいて、コンテンツ蓄積部１０６に対してコンテンツの録画処理を行い、処理を終了する。
【０１２３】
ステップＳ３０５では、コンテンツ出力処理部１１５は、作成された再生制御情報に基づいて、コンテンツの再生処理を行い、処理を終了する。
【０１２４】
ステップＳ３０６では、制御情報出力部１１６は、作成された制御情報を所定の外部機器１７もしくはユーザ（ユーザ所有機器）１８に出力し、処理を終了する。
【０１２５】
外部機器１７では、出力された制御情報に基づいた処理を行う。
【０１２６】
（制御情報作成処理）
図４は、図３に示すステップＳ３０１で実行される制御情報作成処理を示すフローチャートである。図４を参照して、制御情報作成処理３５０が開始されると、ステップＳ３５１では、ユーザ認識部１０４はユーザ識別情報１２が存在するか否かの判定を行う。ユーザ識別情報１２が存在する場合はステップＳ３５２へ進み、存在しない場合はステップＳ３５３へ進む。
【０１２７】
ステップＳ３５２では、ユーザ認識部１０４がユーザ識別情報１２からユーザの認識を行い、ステップＳ３５３へ進む。
【０１２８】
ここで、ユーザ識別情報１２、及びユーザの識別方法は限定しない。例えば、ユーザ識別情報１２としてユーザにユーザ名もしくはユーザ識別番号の少なくとも一方を入力させること、あるいは選択させることで、一意にユーザを識別する方法であっても構わない。また、ユーザの指紋や虹彩などの人体情報を予め登録しておき、コンテンツ処理制御装置１００を使用する際にそれらの情報を入力し、予め登録されていた情報と比較することでユーザを識別する方法であっても構わない。
【０１２９】
ステップＳ３５３では、履歴情報抽出部１０９は履歴情報管理部１０７において管理されている蓄積履歴情報が存在するか否かの判定を行う。蓄積履歴情報が存在する場合はステップＳ３５４へ進み、存在しない場合はステップＳ３５５へ進む。ただし、ステップＳ３５２においてユーザを識別している場合、履歴情報抽出部１０９は識別されたユーザに関する蓄積履歴情報が存在するか否かの判定を行う。識別されたユーザに関する蓄積履歴情報が存在する場合はステップＳ３５４へ進み、存在しない場合はステップＳ３５５へ進む。
【０１３０】
ステップＳ３５４では、履歴情報抽出部１０９が履歴情報管理部１０７から蓄積履歴情報を読み込む。ただし、ステップＳ３５２においてユーザを識別している場合、履歴情報抽出部１０９は識別されたユーザに関する蓄積履歴情報を読み込む。蓄積履歴情報を読み込んだ後、ステップＳ３５５へ進む。
【０１３１】
ステップＳ３５５では、履歴情報抽出部１０９が履歴情報管理部１０７において管理されている出力履歴情報が存在するか否かの判定を行う。出力履歴情報が存在する場合はステップＳ３５６へ進み、存在しない場合はステップＳ３５７へ進む。ただし、ステップＳ３５２においてユーザを認識すなわち識別している場合、履歴情報抽出部１０９は識別されたユーザに関する出力履歴情報が存在するか否かの判定を行う。識別されたユーザに関する出力履歴情報が存在する場合はステップＳ３５６へ進み、存在しない場合はステップＳ３５７へ進む。
【０１３２】
ステップＳ３５６では、履歴情報抽出部１０９が履歴情報管理部１０７から出力履歴情報を読み込む。ただし、ステップＳ３５２においてユーザを識別している場合、履歴情報抽出部１０９は識別されたユーザに関する出力履歴情報を読み込む。出力履歴情報を読み込んだ後、ステップＳ３５７へ進む。
【０１３３】
ステップＳ３５７では、制御情報作成部１１４がその他の情報が存在するか否かの判定を行う。その他の情報が存在する場合はステップＳ３５８へ進み、存在しない場合はステップＳ３５９へ進む。
【０１３４】
ステップＳ３５８では、制御情報作成部１１４がその他の情報を読み込み、ステップＳ３５９へ進む。ここで、その他の情報として、コンテンツ情報、コンテンツに対するユーザ嗜好度、及び記録可能残量を示す情報などがある。コンテンツ情報抽出部１１０は、コンテンツ蓄積部１０６において蓄積されているコンテンツ情報を抽出し、制御情報作成部１１４に渡す。嗜好度算出部１１２は、ユーザ嗜好情報とコンテンツ情報から当該コンテンツに対するユーザの嗜好度を算出し、算出された嗜好度を制御情報作成部１１４に渡す。記録可能残量検出部１１３は、記録媒体１５等の記録可能残量を検出し、制御情報作成部１１４に渡す。
【０１３５】
ステップＳ３５９では、制御情報作成部１１４は作成する制御情報の種類を選択する。録画制御情報に関する制御情報を作成する場合はステップＳ３６０へ進み、再生制御情報に関する制御情報を作成する場合はステップＳ３６１へ進み、それ以外の場合はステップＳ３６２へ進む。なお、作成する制御情報の種類の選択は、コンテンツ処理制御装置１００により自動で選択するようにしても構わないし、ユーザが指示もしくは選択するようにしても構わない。
【０１３６】
ステップＳ３６０では、制御情報作成部１１４はステップＳ３５４、ステップＳ３５６、及びステップＳ３５８の少なくとも一つのステップにおいて読み込まれた各情報から録画制御情報を作成し、制御情報作成処理を終了する。
【０１３７】
ステップＳ３６１では、制御情報作成部１１４はステップＳ３５４、ステップＳ３５６、及びステップＳ３５８の少なくとも一つのステップにおいて読み込まれた各情報から再生制御情報を作成し、制御情報作成処理を終了する。
【０１３８】
ステップＳ３６２では、制御情報作成部１１４はステップＳ３５４、ステップＳ３５６、及びステップＳ３５８の少なくとも一つのステップにおいて読み込まれた各情報から出力制御情報を作成し、制御情報作成処理を終了する。
【０１３９】
以下、コンテンツ処理制御装置１００の具体的な動作として、実施例１から実施例１０を例示する。
【０１４０】
（実施例１）
以下に示す実施例１では、履歴情報管理部１０７において管理されている蓄積履歴情報から録画制御情報を作成する動作を例示する。
【０１４１】
図５に、ユーザＸがコンテンツ蓄積部１０６にコンテンツを蓄積した際の蓄積履歴情報を示す。図５に示す蓄積履歴情報は、コンテンツ蓄積処理部１０５が受信部１０１を介して入力されたコンテンツを録画した際の蓄積履歴情報である。コンテンツ蓄積処理部１０５は、コンテンツが録画されるたびに蓄積履歴情報を作成し、履歴情報管理部１０７は当該蓄積履歴情報を記憶する。
【０１４２】
図５では、コンテンツ名５００、放送日（曜日）５０１、放送チャンネル５０２、録画開始時刻５０３、録画終了時刻５０４及び録画モード５０５がそれぞれ対応付けて管理されている。例えば、「２００４年５月１日（土）」の「８チャンネル」で放送されていた「コンテンツＡ−１」という番組を「２１：００」から「２１：５４」まで「標準」モードで録画したことを表している。さらに、コンテンツ名の最後の数字は、同じシリーズの放送回数を示しており、「コンテンツＡ−１」と「コンテンツＡ−２」は同じシリーズ番組であることを表している。
【０１４３】
ただし、履歴情報管理部１０７において管理されている蓄積履歴情報は、必ずしもこれに限定されない。
【０１４４】
また、録画モードは、図５では「標準」と「3倍」（ビットレートが標準に対して３倍）しか存在しないが、必ずしもこれに限定されない。例えば、「高画質」、「標準」及び「低画質」の区分であっても構わないし、それ以外の区分であっても構わない。
【０１４５】
図６は、図５に示したコンテンツの放送日や放送チャンネル、放送時間の詳細を表している。図６では、コンテンツ名５２０に対して、放送日５２１、放送チャンネル５２２、放送開始時刻５２３及び放送終了時刻５２４がそれぞれ対応付けて表されている。例えば、「コンテンツＣ」のシリーズ番組は、「毎週月曜日」に「８チャンネル」で「２１：００」から「２１：５４」まで放送されていることを表している。なお、図６に示す情報はコンテンツ情報としてコンテンツ蓄積部１０６において管理されているものであっても構わないし、外部から入力されるものであっても構わない。
【０１４６】
ここでは、「コンテンツＣ−２」の録画予約を行うための録画制御情報を作成する場合について、その際のコンテンツ処理制御装置１００の処理の流れを図４に示す制御情報作成処理のフローチャート３５０に従って説明する。
【０１４７】
ユーザＸによって「コンテンツＣ−２」の録画予約の指示がコンテンツ処理制御装置に対して行われると、ステップＳ３５１及びステップＳ３５２では、ユーザ認識部１０４が前述の手法により、「コンテンツＣ−２」の録画を行うのはユーザＸであると認識する。
【０１４８】
ステップＳ３５３及びステップＳ３５４では、履歴情報抽出部１０９が履歴情報管理部１０７において管理されている図５に示すユーザＸによる蓄積履歴情報を読み込む。
【０１４９】
ステップＳ３５５では、出力履歴情報が存在しないので、ステップＳ３５７へ進む。
【０１５０】
ステップＳ３５７及びステップＳ３５８では、制御情報作成部１１４が図６に示す「コンテンツＣ−＊」に関する情報を読み込む。
【０１５１】
ステップＳ３５９では、「コンテンツＣ−２」の録画制御情報を作成するため、ステップＳ３６０へ進む。
【０１５２】
ステップＳ３６０では、制御情報作成部１１４が「コンテンツＣ−２」の録画制御情報を作成する。この録画制御情報の作成において、制御情報作成部１１４は、図５と図６から、「コンテンツＣ−１」の放送終了時刻は「２１：５４」であるのに対し、ユーザＸは「コンテンツＣ−１」を「２１：５２」までしか録画していないという情報、及び「コンテンツＣ−２」と同じシリーズ番組である「コンテンツＣ−１」は、「２１：００」から「２１：５２」まで「３倍」モードで録画されているという情報とを参照する。
【０１５３】
図７には、制御情報作成部１１４が作成した「コンテンツＣ−２」の録画制御情報を示す。図７では、コンテンツ名５４０、録画日（曜日）５４１、録画放送チャンネル５４２、録画開始時刻５４３、録画終了時刻５４４及び録画モード５４５がそれぞれ対応付けて表示されている。
【０１５４】
ここでは、「コンテンツＣ−２」と同じシリーズ番組である「コンテンツＣ−１」は、放送終了時刻が「２１：５４」であるにも関わらず、「２１：５２」までしか録画されていないため、「コンテンツＣ−２」に対する録画制御情報の録画終了時刻を「２１：５２」に設定する。ただし、録画制御情報の作成方法は、必ずしもこれに限定されない。
【０１５５】
例えば、「コンテンツＣ−２」と同じシリーズ番組である「コンテンツＣ−３」の放送開始時刻が「２１：００」であるにも関わらず、「２１：０３」からしか録画されていない場合、「コンテンツＣ−２」に対する録画制御情報の録画開始時刻を「２１：０３」に設定するものであっても構わない。
【０１５６】
図７に示す録画制御情報はコンテンツ蓄積処理部１０５に渡され、コンテンツ蓄積処理部１０５は図７に示す録画制御情報に基づいて「コンテンツＣ−２」の録画処理を行う。コンテンツ蓄積部１０６に録画された「コンテンツＣ−２」は、このコンテンツ蓄積部１０６において管理される。
【０１５７】
さらに、「コンテンツＣ−２」の録画処理を行った際の蓄積履歴情報は、履歴情報管理部１０７において記憶される。なお、図７に示す録画制御情報通りに「コンテンツＣ−２」の録画が行われた場合は、蓄積履歴情報は録画制御情報と同じ情報となる。
【０１５８】
また、図７に示す録画制御情報は制御情報出力部１１６を介して、外部機器１７に出力され、外部機器１７が出力された録画制御情報に基づいた処理を行うようにしても構わない。例えば、外部機器１７が表示装置を備えている場合、図７に示す録画制御情報を表示装置に表示し、ユーザに提示してもよい。この時、提示された録画制御情報をユーザ自ら修正した場合、修正された録画制御情報を入力するための手段を別途用意し、入力された修正内容を履歴情報管理部１０７において管理・保存しておくことで、今後制御情報を作成する際に利用できるようにしても構わない。
【０１５９】
実施例１では、ユーザの過去のコンテンツの蓄積履歴情報を利用することで、当該コンテンツ、もしくは当該コンテンツと同じシリーズの別コンテンツの少なくとも一方を録画する際に、ユーザにとって好ましい録画制御情報を作成することができる。
【０１６０】
（実施例２）
以下に示す実施例２では、履歴情報管理部１０７において管理されている蓄積履歴情報から再生制御情報を作成する動作を例示する。
【０１６１】
図５に示すコンテンツがコンテンツ蓄積部１０６に蓄積されているものとする。
【０１６２】
ここでは、コンテンツ蓄積部１０６において蓄積されている「コンテンツＤ−２」の再生を行うための再生制御情報を作成する場合について、その際のコンテンツ処理制御装置１００の処理の流れを図４に示す制御情報作成処理のフローチャート３５０に従って説明する。
【０１６３】
ユーザＸによって「コンテンツＤ−２」の再生制御情報の作成の指示がコンテンツ処理制御装置に対して行われると、ステップＳ３５１及びステップＳ３５２では、ユーザ認識部１０４が前述の手法により、「コンテンツＤ−２」の再生を行うのはユーザＸであると認識する。
【０１６４】
ステップＳ３５３及びステップＳ３５４では、履歴情報抽出部１０９が履歴情報管理部１０７において管理されている図５に示すユーザＸによる蓄積履歴情報を読み込む。
【０１６５】
ステップＳ３５５では、出力履歴情報が存在しないので、ステップＳ３５７へ進む。
【０１６６】
ステップＳ３５７及びステップＳ３５８では、制御情報作成部１１４が図６に示す「コンテンツＤ−＊」に関する情報を読み込む。
【０１６７】
ステップＳ３５９では、「コンテンツＤ−２」の再生制御情報を作成するため、ステップＳ３６１へ進む。
【０１６８】
ステップＳ３６１では、制御情報作成部１１４が「コンテンツＤ−２」の再生制御情報を作成する。この再生制御情報の作成において、制御情報作成部１１４は、図５と図６から、「コンテンツＤ−２」の放送終了時刻は「２３：２５」であるのに対し、ユーザＸは「コンテンツＤ−２」と同じシリーズ番組である「コンテンツＤ−１」を「２３：２３」までしか録画していないという情報を参照する。
【０１６９】
図８には、制御情報作成部１１４が作成した「コンテンツＤ−２」の再生制御情報を示す。図８では、コンテンツ名５６０、再生日（曜日）５６１、再生開始位置（再生開始データ位置）５６２及び再生終了位置（再生終了データ位置）５６３がそれぞれ対応付けて表示されている。
【０１７０】
ここでは、「コンテンツＤ−２」と同じシリーズ番組である「コンテンツＤ−１」は、放送終了時刻が「２３：２５」であるにも関わらず、「２３：２３」までしか録画されていないため、「コンテンツＤ−２」に対する再生制御情報の再生終了位置を「２３：２３」に設定する。ただし、再生制御情報の作成方法は、必ずしもこれに限定されない。
【０１７１】
例えば、「コンテンツＤ−２」と同じシリーズ番組である「コンテンツＤ−３」の放送開始時刻が「２２：５４」であるにも関わらず、「２２：５５」からしか録画されていない場合、「コンテンツＤ−２」に対する再生制御情報の再生開始時刻を「２２：５５」に設定するものであっても構わない。
【０１７２】
図８に示す再生制御情報はコンテンツ出力処理部１１５に渡され、コンテンツ出力処理部１１５は図８に示す再生制御情報に基づいて「コンテンツＤ−２」の再生処理を行う。再生される「コンテンツＤ−２」は、コンテンツ蓄積部１０６から呼び出される。
【０１７３】
さらに、「コンテンツＤ−２」の再生処理を行った際の出力履歴情報は、履歴情報管理部１０７において記憶される。なお、図８に示す再生制御情報通りに「コンテンツＤ−２」の再生が行われた場合は、出力履歴情報は再生制御情報と同じ情報となる。また、「コンテンツＤ−２」の再生処理中に、ユーザＸから早送り等の出力指示が行われた場合は、行われた出力指示と当該出力指示の開始位置及び終了位置をそれぞれ対応付けて、出力履歴情報として履歴情報管理部１０７において記憶される。
【０１７４】
また、図８に示す再生制御情報は制御情報出力部１１６を介して、外部機器１７に出力され、外部機器１７が出力された再生制御情報に基づいた処理を行うようにしても構わない。例えば、外部機器１７が表示装置を備えている場合、図８に示す再生制御情報を表示装置に表示し、ユーザに提示してもよい。この時、提示された再生制御情報をユーザ自ら修正した場合、修正された再生制御情報を入力するための手段を別途用意し、入力された修正内容を履歴情報管理部１０７において管理・保存しておくことで、今後制御情報を作成する際に利用できるようにしても構わない。
【０１７５】
実施例２では、ユーザの過去のコンテンツの蓄積履歴情報を利用することで、当該コンテンツ、もしくは当該コンテンツと同じシリーズの別コンテンツの少なくとも一方を再生する際に、ユーザにとって好ましい再生制御情報を作成することができる。
【０１７６】
（実施例３）
以下に示す実施例３では、履歴情報管理部１０７において管理されている出力履歴情報から録画制御情報を作成する動作を例示する。
【０１７７】
図９に履歴情報管理部１０７において管理されているユーザＸによる出力履歴情報を示す。図９に示す出力履歴情報は、図５に示すコンテンツがコンテンツ蓄積部１０６に蓄積されているものとし、それらのコンテンツの一部を過去にユーザＸがコンテンツ出力処理部１１５を介して再生した際の出力履歴である。コンテンツ出力処理部１１５は、コンテンツが再生されるたびに出力履歴情報を作成し、履歴情報管理部１０７は当該出力履歴情報を記憶する。
【０１７８】
図９では、コンテンツ名５８０、当該コンテンツの再生日（曜日）５８１、当該コンテンツの再生開始位置５８２及び当該コンテンツの再生終了位置５８３がそれぞれ対応付けて管理されている。例えば、「コンテンツＡ−１」は「２００４年５月２日（日）」に再生され、「コンテンツＡ−１」の「２１：００」から「２１：５２」までの間を再生したことを表している。
【０１７９】
ただし、履歴情報管理部１０７において管理されている出力履歴情報は、必ずしもこれに限定されない。例えば、コンテンツ視聴時のユーザＸによる再生操作履歴などを同時に管理しておいても構わない。
【０１８０】
また、再生開始位置５８２及び再生終了位置５８３は、当該コンテンツが放送された時刻を使って再生開始位置及び再生終了位置のそれぞれを表していたが、必ずしもこれに限定されない。例えば、当該コンテンツの先頭からの経過時間等で表しても構わない。例えば６０分の長さのコンテンツを０分から５０分までの間を再生したという情報を出力履歴情報として履歴情報管理部１０７において管理していても構わない。
【０１８１】
ここで、図９の「コンテンツＢ−２」、「コンテンツＤ−１」、「コンテンツＤ−２」及び「コンテンツＬ−３」では、コンテンツ名５８０以外は「−」になっているが、これはそれぞれのコンテンツが未再生であることを示している。
【０１８２】
ここでは、「コンテンツＡ−３」の録画予約を行うための録画制御情報を作成する場合について、その際のコンテンツ処理制御装置１００の処理の流れを図４に示す制御情報作成処理のフローチャート３５０に従って説明する。
【０１８３】
ユーザＸによって「コンテンツＡ−３」の録画予約の指示がコンテンツ処理制御装置に対して行われると、ステップＳ３５１及びステップＳ３５２では、ユーザ認識部１０４が前述の手法により、「コンテンツＡ−３」の録画を行うのはユーザＸであると認識する。
【０１８４】
ステップＳ３５３及びステップＳ３５４では、履歴情報抽出部１０９が履歴情報管理部１０７において管理されている図５に示すユーザＸによる蓄積履歴情報を読み込む。
【０１８５】
ステップＳ３５５及びステップＳ３５６では、履歴情報抽出部１０９が履歴情報管理部１０７において管理されている図９に示すユーザＸによる出力履歴情報を読み込む。
【０１８６】
ステップＳ３５７及びステップＳ３５８では、制御情報作成部１１４が図６に示す「コンテンツＡ−＊」に関する情報を読み込む。
【０１８７】
ステップＳ３５９では、「コンテンツＡ−３」の録画制御情報を作成するため、ステップＳ３６０へ進む。
【０１８８】
ステップＳ３６０では、制御情報作成部１１４が「コンテンツＡ−３」の録画制御情報を作成する。この録画制御情報の作成において、制御情報作成部１１４は、図５と図９から「コンテンツＡ−３」と同じシリーズ番組である「コンテンツＡ−１」及び「コンテンツＡ−２」は、「２１：００」から「２１：５４」まで録画されているのにも関わらず、「２１：００」から「２１：５２」までしか再生していないという情報を参照する。
【０１８９】
図１０には、制御情報作成部１１４が作成した「コンテンツＡ−３」の録画制御情報を示す。図１０では、コンテンツ名６００、録画日時（曜日）６０１、録画放送チャンネル６０２、録画開始時刻６０３、録画終了時刻６０４及び録画モード６０５がそれぞれ対応付けて表示されている。
【０１９０】
ここでは、図９に示すように、「コンテンツＡ−３」と同じシリーズ番組である「コンテンツＡ−１」及び「コンテンツＡ−２」の「２１：００」から「２１：５２」までの間しか再生されていないため、「コンテンツＡ−３」の録画終了時刻を「２１：５２」に設定する。また、図５に示すように、「コンテンツＡ−１」と「コンテンツＡ−２」の録画モードは「標準」であるため、「コンテンツＡ−３」の録画モードは「標準」に設定する。ただし、録画制御情報の作成方法は、必ずしもこれに限定されない。
【０１９１】
例えば、「コンテンツＡ−３」と同じシリーズ番組である「コンテンツＡ−４」では、「２１：０２」からしか再生されていない場合、「コンテンツＡ−３」に対する録画制御情報の録画開始時刻を「２１：０２」に設定するものであっても構わない。
【０１９２】
実施例３では、ユーザの過去のコンテンツの出力履歴情報を利用することで、当該コンテンツ、もしくは当該コンテンツと同じシリーズの別コンテンツの少なくとも一方を録画する際に、ユーザにとって好ましい録画制御情報を作成することができる。
【０１９３】
（実施例４）
以下に示す実施例４では、履歴情報管理部１０７において管理されている出力履歴情報から再生制御情報を作成する動作を例示する。
【０１９４】
図５に示すコンテンツがコンテンツ蓄積部１０６に蓄積されているものとし、図９はユーザＸがそれらのコンテンツの一部を過去に再生した際の出力履歴情報であるものとする。
【０１９５】
ここでは、コンテンツ蓄積部１０６において蓄積されている「コンテンツＢ−２」の再生を行うための再生制御情報を作成する場合について、その際のコンテンツ処理制御装置１００の処理の流れを図４の示す制御情報作成処理のフローチャート３５０に従って説明する。
【０１９６】
ユーザＸによって「コンテンツＢ−２」の再生制御情報の作成の指示がコンテンツ処理制御装置に対して行われると、ステップＳ３５１及びステップＳ３５２では、ユーザ認識部１０４が前述の手法により、「コンテンツＢ−２」の再生を行うのはユーザＸであると認識する。
【０１９７】
ステップＳ３５３では、蓄積履歴情報を使用しないため、ステップＳ３５５へ進む。
【０１９８】
ステップＳ３５５及びステップＳ３５６では、履歴情報抽出部１０９が履歴情報管理部１０７において管理されている図９に示すユーザＸによる出力履歴情報を読み込む。
【０１９９】
ステップＳ３５７では、その他の情報を利用しないため、ステップＳ３５９へ進む。
【０２００】
ステップＳ３５９では、「コンテンツＢ−２」の再生制御情報を作成するため、ステップＳ３６１へ進む。
【０２０１】
ステップＳ３６１では、制御情報作成部１１４が「コンテンツＢ−２」の再生制御情報を作成する。この再生制御情報の作成において、制御情報作成部１１４は、図９から「コンテンツＢ−２」と同じシリーズ番組である「コンテンツＢ−１」は、「２０：００」から「２０：４４」までの間を再生しているという情報を参照する。
【０２０２】
図１１には、制御情報作成部１１４が作成した「コンテンツＢ−２」の再生制御情報を示す。図１１では、コンテンツ名６２０、再生日（曜日）６２１、再生開始位置６２２及び再生終了位置６２３を表示している。
【０２０３】
ここでは、「コンテンツＢ−２」と同じシリーズ番組である「コンテンツＢ−１」は、「２０：００」から「２０：４５」までが録画されているにも関わらず、ユーザは、「２０：００」から「２０：４４」までしか再生していないため、「コンテンツＢ−２」に対する再生制御情報の再生終了位置を「２０：４４」に設定する。ただし、再生制御情報の作成方法は、必ずしもこれに限定されない。
【０２０４】
例えば、「コンテンツＢ−２」と同じシリーズ番組である「コンテンツＢ−３」は、「２０：００」から録画されているにも関わらず、「２０：０１」からしか再生されていない場合、「コンテンツＢ−２」に対する再生制御情報の再生開始時刻を「２０：０１」に設定するものであっても構わない。
【０２０５】
実施例４では、ユーザの過去のコンテンツの出力履歴情報を利用することで、当該コンテンツ、もしくは当該コンテンツと同じシリーズの別コンテンツの少なくとも一方を再生する際に、ユーザにとって好ましい再生制御情報を作成することができる。
【０２０６】
（実施例５）
以下に示す実施例５では、履歴情報管理部１０７において管理されている出力履歴情報の操作履歴情報から録画制御情報を作成する動作を例示する。
【０２０７】
図１２に、履歴情報管理部１０７において管理されているユーザＸが「コンテンツＦ−１」を再生した際の操作履歴情報を示す。図１２に示す操作履歴情報は、「コンテンツＦ−１」を過去にユーザＸがコンテンツ出力処理部１１５を介して再生した際に、ユーザＸがコンテンツ処理制御装置に対して早送り等の出力指示を行った開始位置を示す情報と終了位置を示す情報を図示したものである。コンテンツ出力処理部１１５は、早送り等の出力指示が行われるたびに操作履歴情報を作成し、履歴情報管理部１０７は当該操作履歴情報を記憶する。
【０２０８】
図１２では、ユーザＸが「コンテンツＦ−１」を再生した直後、「１９：０２」までの間を早送りし、そこから通常再生を行い、その後、「１９：１５」から「１９：１７」までの間と、「１９：３０」から「１９：３２」までの間と、「１９：４３」から「１９：４５」までの間をそれぞれ早送りを行い、「１９：５２」に再生を終了していることを示している。
【０２０９】
ここでは、「コンテンツＦ−２」の録画予約を行うための録画制御情報を作成する場合について、その際の処理制御情報１００の処理の流れを図４に示す制御情報作成処理のフローチャート３５０に従って説明する。
【０２１０】
ユーザＸによって「コンテンツＦ−２」の録画予約の指示がコンテンツ処理制御装置に対して行われると、ステップＳ３５１及びステップＳ３５２では、ユーザ認識部１０４が前述の手法により、「コンテンツＦ−２」の録画を行うのはユーザＸであると認識する。
【０２１１】
ステップＳ３５３及びステップＳ３５４では、履歴情報抽出部１０９が履歴情報管理部１０７において管理されている図５に示すユーザＸによる蓄積履歴情報を読み込む。
【０２１２】
ステップＳ３５５及びステップＳ３５６では、履歴情報抽出部１０９が履歴情報管理部１０７において管理されている図１２に示すユーザＸによる「コンテンツＦ−１」の操作履歴情報を読み込む。
【０２１３】
ステップＳ３５７及びステップＳ３５８では、制御情報作成部１１４が図６に示す「コンテンツＦ―＊」に関する情報を読み込む。
【０２１４】
ステップＳ３５９では、「コンテンツＦ−２」の録画制御情報を作成するため、ステップＳ３６０へ進む。
【０２１５】
ステップＳ３６０では、制御情報作成部１１４が「コンテンツＦ−２」の録画制御情報を作成する。この録画制御情報の作成において、制御情報作成部１１４は、「コンテンツＦ−２」と同じシリーズ番組である「コンテンツＦ−１」の操作履歴情報を参照する。
【０２１６】
図１３には、制御情報作成部１１４が作成した「コンテンツＦ−２」の録画制御情報を示す。図１３では、コンテンツ名６４０、録画日（曜日）６４１、録画放送チャンネル６４２、録画開始時刻６４３、録画終了時刻６４４及び録画モード６４５がそれぞれ対応付けて表示されている。
【０２１７】
ここでは、「コンテンツＦ−２」と同じシリーズ番組である「コンテンツＦ−１」は、「コンテンツＦ−１」の再生開始直後に「１９：０２」まで早送りされた後、通常再生され、「１９：５２」の箇所で再生が終了されているため、「コンテンツＦ−２」に対する録画制御情報の録画開始時刻を「１９：０２」、録画終了時刻を「１９：５２」に設定する。ただし、録画制御情報の作成方法は、必ずしもこれに限定されない。
【０２１８】
さらに、図１２に示す「コンテンツＦ−１」の操作履歴情報から、「１９：１５」から「１９：１７」までの間、「１９：３０」から「１９：３２」までの間、「１９：４３」から「１９：４５」までの間は早送りが行われているという情報から、図１４に示すように、それらの時間では録画を行わないような録画制御情報を作成しても構わない。図１４では、コンテンツ名６６０、録画日（曜日）６６１、録画放送チャンネル６６２、録画開始時刻６６３、録画終了時刻６６４及び録画モード６６５がそれぞれ対応付けて表示されており、さらに削除開始位置を示す情報６６６と削除終了位置を示す情報６６７は互いに対応付けて表示されている。すなわち、「コンテンツＦ−２」は「１９：００」から放送が開始されるが、「１９：０２」から録画が開始され、途中、「１９：１５」から「１９：１７」の間、「１９：３０」から「１９：３２」の間、及び「１９：４３」から「１９：４５」の間は録画が行われずに、「１９：５２」に録画が終了されるという録画制御情報が作成される。
【０２１９】
ただし、削除開始位置から削除終了位置までの間も録画を行うが、当該コンテンツの再生時にそれらの時間の再生を行わないようにしても構わない。例えば、コンテンツを録画する際に、削除開始位置と削除終了位置を識別できるようなマークをつけておき、当該コンテンツ再生時に付与したマークを判別し、削除開始位置から削除終了位置までの間は再生を行わないようにしても構わない。
【０２２０】
実施例５では、ユーザの過去のコンテンツ再生時における操作履歴情報を利用することで、当該コンテンツ、もしくは当該コンテンツと同じシリーズの別コンテンツの少なくとも一方を録画する際に、ユーザにとって好ましい録画制御情報を作成することができる。
【０２２１】
（実施例６）
以下に示す実施例６では、嗜好情報管理部１０８において管理されているユーザ嗜好情報から録画制御情報を作成する動作を例示する。
【０２２２】
図１５には、これから放送されるコンテンツの各種情報を示す。図１５では、コンテンツ名６８０、放送予定日（曜日）６８１、放送チャンネル６８２、放送開始時刻６８３及び放送終了時刻６８４がそれぞれ対応付けて表示されており、さらに、コンテンツ名６８５、当該コンテンツが属するジャンル６８６、当該コンテンツの出演者６８７及び当該コンテンツのキーワード６８８がそれぞれ対応付けて表示されている。例えば、「コンテンツＧ−１」は、「２００４年５月１７日（月）」の「１９：００」から「１９：５４」まで「４ｃｈ」で放送されており、「コンテンツＧ−１」のジャンルは「Ｊ１」に属しており、出演者は「Ｐ１」、「Ｐ２」及び「Ｐ３」であり、キーワードは「Ｋ１」、「Ｋ２」、「Ｋ３」及び「Ｋ４」であることを示している。
【０２２３】
また、ユーザＸの嗜好情報として、好みのジャンルは「Ｊ１」であり、好みの出演者は「Ｐ１」及び「Ｐ２」であり、好みのキーワードは「Ｋ２」、「Ｋ３」及び「Ｋ５」であるとし、これらの嗜好情報は嗜好情報管理部１０８において管理される。
【０２２４】
ここでは、「コンテンツＧ−１」及び「コンテンツＨ−１」に対するユーザの嗜好度を算出し、算出された嗜好度に応じて「コンテンツＧ−１」及び「コンテンツＨ−１」の録画予約を行うための録画制御情報を作成する場合について説明する。
【０２２５】
嗜好情報抽出部１１１は、上記のユーザＸの嗜好情報を嗜好情報管理部１０８から抽出する。
【０２２６】
コンテンツ情報抽出部１１０は、図１５に示す「コンテンツＧ−１」及び「コンテンツＨ−１」のコンテンツ情報を抽出する。
【０２２７】
嗜好度算出部１１２は、嗜好度情報抽出部１１１において抽出された情報とコンテンツ情報抽出部１１０において抽出された情報から、「コンテンツＧ−１」と「コンテンツＨ−１」の嗜好度を算出する。
【０２２８】
ここで、嗜好度を算出する方法として、ユーザの嗜好情報とコンテンツ情報を比較し、一致する項目一つにつき１０ポイント嗜好度を上げるものとする。
【０２２９】
これに従い、「コンテンツＧ−１」の嗜好度を算出すると、ジャンル「Ｊ１」、出演者「Ｐ１」及び「Ｐ２」、キーワード「Ｋ２」及び「Ｋ３」の５項目が一致するため、「コンテンツＧ−１」の嗜好度を５０とする。
【０２３０】
同様に、「コンテンツＨ−１」の嗜好度を算出すると、出演者「Ｐ１」、キーワード「Ｋ５」の２項目が一致するため、「コンテンツＨ−１」の嗜好度を２０とする。
【０２３１】
ただし、嗜好度の算出方法は必ずしもこれに限定されない。
【０２３２】
算出した「コンテンツＧ−１」の嗜好度を使用して「コンテンツＧ−１」の録画予約を行うための録画制御情報を作成する場合について、その際の処理制御１００の処理の流れを図４に示す制御情報作成処理のフローチャートに従って説明する。
【０２３３】
ユーザＸによって「コンテンツＧ−１」の録画予約の指示がコンテンツ処理制御装置に対して行われると、ステップＳ３５１及びステップＳ３５２では、ユーザ認識部１０４が前述の手法により、「コンテンツＧ−１」の録画を行うのはユーザＸであると認識する。
【０２３４】
ステップＳ３５３では、蓄積履歴情報が存在しないので、ステップＳ３５５へ進む。
【０２３５】
ステップＳ３５５では、出力履歴情報が存在しないので、ステップＳ３５７へ進む。
【０２３６】
ステップＳ３５７及びステップＳ３５８では、制御情報作成部１１４が図１５に示す「コンテンツＧ−１」に関する情報と上記で算出した「コンテンツＧ−１」の嗜好度を読み込む。
【０２３７】
ステップＳ３５９では、「コンテンツＧ−１」の録画制御情報を作成するため、ステップＳ３６０へ進む。
【０２３８】
ステップＳ３６０では、制御情報作成部１１４が「コンテンツＧ−１」の録画制御情報を作成する。
【０２３９】
図１６には、制御情報作成部１１４が作成した「コンテンツＧ−１」の録画制御情報を示す。図１６では、コンテンツ名７００、録画日（曜日）７０１、録画放送チャンネル７０２、録画開始時刻７０３、録画終了時刻７０４及び録画モード７０５がそれぞれ対応付けて表示されている。
【０２４０】
ここでは、録画モードを嗜好度が５０ポイント以上の場合は「高画質」で、嗜好度が３０ポイント以上５０ポイント未満の場合は「標準」で、嗜好度が３０ポイント未満の場合は「低画質」で設定するものとすると、「コンテンツＧ−１」の嗜好度は「５０ポイント」であるため、「コンテンツＧ−１」に対する録画制御情報の録画モードを「高画質」に設定する。ここで、録画モードは「高画質」、「標準」、「低画質」の3区分で表しているが、必ずしもこれに限定されない。また、録画制御情報の作成方法は、必ずしもこれに限定されない。
【０２４１】
一方、算出した「コンテンツＨ−１」の嗜好度を使用して「コンテンツＨ−１」の録画予約を行うための録画制御情報を作成する場合について、その際のコンテンツ処理制御装置１００の処理の流れを図４に示す制御情報作成処理のフローチャートに従って説明する。
【０２４２】
ユーザＸによって「コンテンツＨ−１」の録画予約の指示がコンテンツ処理制御装置に対して行われると、ステップＳ３５１及びステップＳ３５２では、ユーザ認識部１０４が前述の手法により、「コンテンツＨ−１」の録画を行うのはユーザＸであると認識する。
【０２４３】
ステップＳ３５３では、蓄積履歴情報が存在しないので、ステップＳ３５５へ進む。
【０２４４】
ステップＳ３５５では、出力履歴情報が存在しないので、ステップＳ３５７へ進む。
【０２４５】
ステップＳ３５７及びステップＳ３５８では、制御情報作成部１１４が図１５に示す「コンテンツＨ−１」に関する情報と上記で算出した「コンテンツＨ−１」の嗜好度を読み込む。
【０２４６】
ステップＳ３５９では、「コンテンツＨ−１」の録画制御情報を作成するため、ステップＳ３６０へ進む。
【０２４７】
ステップＳ３６０では、制御情報作成部１１４が「コンテンツＨ−１」の録画制御情報を作成する。
【０２４８】
図１７には、制御情報作成部１１４が作成した「コンテンツＨ−１」の録画制御情報を示す。図１７では、コンテンツ名７２０、録画日（曜日）７２１、録画放送チャンネル７２２、録画開始時刻７２３、録画終了時刻７２４及び録画モード７２５がそれぞれ対応付けて表示されている。
【０２４９】
「コンテンツＨ−１」の嗜好度は「２０ポイント」であるため、「コンテンツＨ−１」に対する録画制御情報の録画モードを「低画質」に設定する。
【０２５０】
実施例６では、ユーザの嗜好情報を利用することで、コンテンツを録画する際に、ユーザにとって好ましい録画制御情報を作成することができる。
【０２５１】
（実施例７）
以下に示す実施例７では、記録可能残量検出部１１３によって検出された記録媒体１５等の記録可能残量を示す情報から録画制御情報を作成する動作を例示する。
【０２５２】
図１８には、記録可能残量検出部１１３によって検出された記録媒体の記録可能残量を示す。図１８では、記録媒体の記録可能残量を「高画質」モードに換算した際の記録可能時間７４０、「標準」モードに換算した際の記録可能時間７４１、「低画質」モードに換算した際の記録可能時間７４２を示している。例えば、「高画質」モードであれば、残り５０分しか録画できないが、「低画質」モードならば、3時間４６分録画可能であることを示している。
【０２５３】
ここでは、放送時間が「２１：００」から「２２：５４」までの「コンテンツＪ」の録画予約を行うための録画制御情報を作成する場合について、その際のコンテンツ処理制御装置１００の処理の流れを図４に示す制御情報作成処理のフローチャート３５０に従って説明する。
【０２５４】
ユーザＸによって「コンテンツＪ」の録画予約の指示がコンテンツ処理制御装置に対して行われると、ステップＳ３５１及びステップＳ３５２では、ユーザ認識部１０４が前述の手法により、「コンテンツＪ」の録画を行うのはユーザＸであると認識する。
【０２５５】
ステップＳ３５３では、蓄積履歴情報が存在しないので、ステップＳ３５５へ進む。
【０２５６】
ステップＳ３５５では、出力履歴情報が存在しないので、ステップＳ３５７へ進む。
【０２５７】
ステップＳ３５７及びステップＳ３５８では、制御情報作成部１１４が図６に示す「コンテンツＪ」に関する情報と、図１８に示す記録可能残量に関する情報を読み込む。
【０２５８】
ステップＳ３５９では、「コンテンツＪ」の録画制御情報を作成するため、ステップＳ３６０へ進む。
【０２５９】
ステップＳ３６０では、制御情報作成部１１４が「コンテンツＪ」の録画制御情報を作成する。この録画制御情報の作成において、制御情報作成部１１４は、「コンテンツＪ」の放送時間が「２１：００」から「２２：５４」までの「１時間４５分」であるという情報、及び記録媒体の記録可能残量を示す情報を参照する。
【０２６０】
図１９には、制御情報作成部１１４が作成した「コンテンツＪ」の録画制御情報を示す。図１９では、コンテンツ名７６０、録画日（曜日）７６１、録画放送チャンネル７６２、録画開始時刻７６３、録画終了時刻７６４及び録画モード７６５がそれぞれ対応付けて表示されている。
【０２６１】
ここでは、「コンテンツＪ」の放送時間が「１時間５４分」であるため、「高画質」モードや「標準」モードでは記録容量が不足してしまうため、「コンテンツＪ」に対する録画制御情報の録画モードを「低画質」に設定する。ただし、録画制御情報の作成方法は、必ずしもこれに限定されない。例えば、記録媒体の記録可能残量とユーザの嗜好情報を使用して、「コンテンツＪ」のある部分は「高画質」モードで録画され、また別の部分は「標準」モードで録画され、残りの部分は「低画質」モードで録画されるような録画制御情報を作成しても構わない。
【０２６２】
実施例７では、記録媒体の記録可能残量の情報を利用することで、コンテンツを録画する際に、ユーザにとって好ましい録画制御情報を設定することができる。
【０２６３】
（実施例８）
以下に示す実施例８では、履歴情報管理部１０７において管理されている蓄積履歴情報から当該コンテンツを出力する際の出力制御情報を作成する動作を例示する。
【０２６４】
図２０に、ＡさんとＢさんがコピー機７８０を使ってＷｏｒｄ文章等のドキュメント類をコピー、もしくはプリントを行った際の蓄積履歴情報を示す。図２０に示す蓄積履歴情報は、コンテンツ蓄積処理部１０５が受信部１０１を介して入力されたＷｏｒｄ文章等のドキュメント類をコピー、もしくはプリントした際の蓄積履歴情報である。コンテンツ蓄積処理部１０５は、Ｗｏｒｄ文章等のドキュメント類をコピー、もしくはプリントされるたびに蓄積履歴情報を作成し、履歴情報管理部１０７は当該蓄積履歴情報を記憶する。
【０２６５】
図２０では、ドキュメント名７８１（コンテンツ名）、当該ドキュメントの所有者７８２（コンテンツの所有者）、当該ドキュメントの種類７８３（コンテンツの種類）、当該ドキュメントの印刷日７８４（コンテンツ蓄積日）及び当該ドキュメントを印刷した際の印刷時情報７８５がそれぞれ対応付けて管理されている。例えば、「Ａさん」は、「２００４年５月１０日」に「Ｗ−Ａ−１」というファイル名の「Ｗｏｒｄ文章」を「両面２−Ｕｐ」で印刷したことを示している。
【０２６６】
ただし、履歴情報管理部１０７において管理されている図２０に示す蓄積履歴情報は、必ずしもこれに限定されない。例えば、当該ドキュメントのページ数（コンテンツのページ数）や当該ドキュメント内容を示すキーワード（コンテンツの内容）などを含んでいても構わない。図２０に示す蓄積履歴情報には、当該ドキュメントの作成者もしくは当該ドキュメントの所有者の何れか一方を含んでいればよく、さらに、当該ドキュメントの種類、当該ドキュメントのサイズ、当該ドキュメントの作成日時、当該ドキュメントのジャンル、当該ドキュメントのページ数、もしくは当該ドキュメントの内容のうちの少なくとも一つを含んでいればよい。
【０２６７】
また、図２０に示す蓄積履歴情報は、コピー機７８０とネットワークで接続されたＰＣ等の外部機器からドキュメント類の印刷指示をコピー機７８０へ送った際の蓄積履歴情報であっても構わないし、コピー機７８０から直接ドキュメント類の印刷を行う際の蓄積履歴情報であっても構わないし、コピー機７８０とネットワークで接続されたＰＣ等の外部機器内で管理されているドキュメント類をコピー機７８０側から印刷指示を行う際の蓄積履歴情報であっても構わない。
【０２６８】
ここでは、「Ａさん」はドキュメント名が「Ｗ−Ａ−３」という「８ページ」からなる「Ｗｏｒｄ文章」の印刷を行うための出力制御情報を作成する場合について、その際のコンテンツ処理制御装置１００の処理の流れを図４に示す制御情報作成処理の３５０フローチャートに従って説明する。
【０２６９】
「Aさん」によって「W−A−３」というドキュメント名の「Ｗｏｒｄ文章」の印刷の指示がコンテンツ処理制御装置に対して行われると、ステップＳ３５１及びステップＳ３５２では、ユーザ認識部１０４が前述の手法により、「W−A−３」というドキュメント名の「Ｗｏｒｄ文章」の印刷を行うのはユーザＸであると認識する。
【０２７０】
ステップＳ３５３及びステップＳ３５４では、履歴情報抽出部１０９が履歴情報管理部１０７において管理されている図２０の示す「Ａさん」による蓄積履歴情報を読み込む。
【０２７１】
ステップＳ３５５では、出力履歴情報が存在しないので、ステップＳ３５７へ進む。
【０２７２】
ステップＳ３５７では、その他の情報が存在しないので、ステップＳ３５９へ進む。
【０２７３】
ステップＳ３５９では、「Ｗ−Ａ−３」というドキュメントの印刷を行う際の出力制御情報を作成するため、ステップＳ３６２へ進む。
【０２７４】
ステップＳ３６２では、制御情報作成部１１４が「Ｗ−Ａ−３」というドキュメントの印刷を行う際の出力制御情報を作成する。この出力制御情報の作成において、制御情報作成部１１４は、図２０から「Ａさん」は「Ｗｏｒｄ文章」を常に「両面２−Ｕｐ」で印刷しているという情報を参照する。
【０２７５】
図２１には、制御情報作成部１１４が作成した「W−A−3」の出力制御情報を示す。図２１では、ドキュメント名８００、種類８０１及び印刷時情報８０２がそれぞれ対応付けて表示されている。
【０２７６】
ここでは、「Ａさん」は「W−A−3」と種類が同じ「Ｗｏｒｄ文章」である「W−A−1」と「W−A−2」は、常に「両面２−Ｕｐ」で印刷しているため、「Ｗ−Ａ−３」は「両面２−Ｕｐ」で印刷されるような出力制御情報を作成する。ただし、出力制御情報の作成方法は、必ずしもこれに限定されない。
【０２７７】
図２１に示す出力制御情報は制御情報出力部１１６に渡され、制御情報出力部１１６は図２１に示す出力制御情報に基づいて「Ｗ−Ａ−３」のコピー、もしくはプリント処理を行う。
【０２７８】
さらに、「Ｗ−Ａ−３」のコピー、もしくはプリント処理を行った際の出力履歴情報は、履歴情報管理部１０７において記憶される。なお、図２１に示す出力制御情報通りに「Ｗ−Ａ−３」のコピー、もしくはプリント処理が行われた場合は、出力履歴情報は出力制御情報と同じ情報となる。
【０２７９】
実施例８では、ドキュメント類をコピー，もしくはプリントする際の制御情報を管理しておき、これらの情報を利用することで、当該ドキュメント、もしくは当該ドキュメントと類似のドキュメント類をコピー、もしくはプリントする際に、ユーザにとって好ましい出力制御情報を作成することができる。
【０２８０】
（実施例９）
以下に示す実施例９では、履歴情報管理部１０７において管理されている蓄積履歴情報と出力履歴情報から録画制御情報を作成する動作を例示する。
【０２８１】
図５に示すコンテンツがコンテンツ蓄積部１０６に蓄積されているものとし、図９はユーザＸがそれらのコンテンツの一部を過去に再生した際の出力履歴情報であるものとする。
【０２８２】
ここでは、「コンテンツＫ−３」の録画予約を行うための録画制御情報を作成する場合について、その際のコンテンツ処理制御装置１００の処理の流れを図４に示す制御情報作成処理のフローチャート３５０に従って説明する。
【０２８３】
ユーザＸによって「コンテンツＫ−３」の録画予約の指示がコンテンツ処理制御装置に対して行われると、ステップＳ３５１及びステップＳ３５２では、ユーザ認識部１０４が前述の手法により、「コンテンツＫ−３」の録画を行うのはユーザＸであると認識する。
【０２８４】
ステップＳ３５３及びステップＳ３５４では、履歴情報抽出部１０９が履歴情報管理部１０７において管理されている図５に示すユーザＸによる蓄積履歴情報を読み込む。
【０２８５】
ステップＳ３５５及びステップＳ３５６では、履歴情報抽出部１０９が履歴情報管理部１０７において管理されている図９に示すユーザＸによる出力履歴情報を読み込む。
【０２８６】
ステップＳ３５７及びステップＳ３５８では、制御情報作成部１１４が図６に示す「コンテンツＫ−＊」に関する情報を読み込む。
【０２８７】
ステップＳ３５９では、「コンテンツＫ−３」の録画制御情報を作成するため、ステップＳ３６０へ進む。
【０２８８】
ステップＳ３６０では、制御情報作成部１１４が「コンテンツＫ−３」の録画制御情報を作成する。この録画制御情報の作成において、制御情報作成部１１４は、図５と図９から、「コンテンツＫ−３」と同じシリーズ番組である「コンテンツＫ−１」及び「コンテンツＫ−２」は、「２１：１５」から「２２：００」まで放送されているのにも関わらず、「２１：１５」から「２１：５５」までしか録画していないという情報と、「コンテンツＫ−１」及び「コンテンツＫ−２」は、「２１：１５」から録画されているのにも関わらず、「２１：１６」から再生しているという情報とを参照する。
【０２８９】
図２２には、制御情報作成部１１４が作成した「コンテンツＫ−３」の録画制御情報を示す。図２２では、コンテンツ名８２０、録画日時（曜日）８２１、録画放送チャンネル８２２、録画開始時刻８２３、録画終了時刻８２４及び録画モード８２５がそれぞれ対応付けて表示されている。
【０２９０】
ここでは、図５及び図９に示すように、「コンテンツＫ−３」と同じシリーズ番組である「コンテンツＫ−１」及び「コンテンツＫ−２」は、「２１：５５」までしか録画されていないこと、及びこれら両者は「２１：１６」からしか再生されていないことから、「コンテンツＫ−３」の録画開始時刻を「２１：１６」に設定し、録画終了時刻を「２１：５５」に設定する。また、図５に示すように、「コンテンツＫ−１」と「コンテンツＫ−２」の録画モードは「標準」であるため、「コンテンツＫ−３」の録画モードも「標準」に設定する。ただし、録画制御情報の作成方法は、必ずしもこれに限定されない。
【０２９１】
実施例９では、ユーザの過去のコンテンツの蓄積履歴情報と出力履歴情報との両方を利用することで、当該コンテンツ、もしくは当該コンテンツと同じシリーズの別コンテンツの少なくとも一方を録画する際に、ユーザにとって好ましい録画制御情報をさらに適切に作成することができる。
【０２９２】
（実施例１０）
以下に示す実施例１０では、履歴情報管理部１０７において管理されている蓄積履歴情報と出力履歴情報から再生制御情報を作成する動作を例示する。
【０２９３】
図５に示すコンテンツがコンテンツ蓄積部１０６に蓄積されているものとし、図９はユーザＸがそれらのコンテンツの一部を過去に再生した際の出力履歴情報であるものとする。
【０２９４】
ここでは、「コンテンツＬ−３」の再生を行うための再生制御情報を作成する場合について、その際のコンテンツ処理制御装置１００の処理の流れを図４に示す制御情報作成処理のフローチャート３５０に従って説明する。
【０２９５】
ユーザＸによって「コンテンツＬ−３」の再生制御情報の作成の指示がコンテンツ処理制御装置に対して行われると、ステップＳ３５１及びステップＳ３５２では、ユーザ認識部１０４が前述の手法により、「コンテンツＬ−３」の再生を行うのはユーザＸであると認識する。
【０２９６】
ステップＳ３５３及びステップＳ３５４では、履歴情報抽出部１０９が履歴情報管理部１０７において管理されている図５に示すユーザＸによる蓄積履歴情報を読み込む。
【０２９７】
ステップＳ３５５及びステップＳ３５６では、履歴情報抽出部１０９が履歴情報管理部１０７において管理されている図９に示すユーザＸによる出力履歴情報を読み込む。
【０２９８】
ステップＳ３５７及びステップＳ３５８では、制御情報作成部１１４が図６に示す「コンテンツＬ−＊」に関する情報を読み込む。
【０２９９】
ステップＳ３５９では、「コンテンツＬ−３」の再生制御情報を作成するため、ステップＳ３６０へ進む。
【０３００】
ステップＳ３６０では、制御情報作成部１１４が「コンテンツＬ−３」の再生制御情報を作成する。この再生制御情報の作成において、制御情報作成部１１４は、図５と図９から「コンテンツＬ−３」と同じシリーズ番組である「コンテンツＬ−１」及び「コンテンツＬ−２」は、「２２：００」から「２３：００」まで放送されているのにも関わらず、「２２：０２」からしか録画していないという情報と、「コンテンツＬ−１」及び「コンテンツＬ−２」は「２２：５４」までしか再生していないという情報とを参照する。
【０３０１】
図２３には、制御情報作成部１１４が作成した「コンテンツＬ−３」の再生制御情報を示す。図２３では、コンテンツ名８４０、再生日（曜日）８４１、再生開始位置８２２、及び再生終了位置８２３がそれぞれ対応付けて表示されている。
【０３０２】
ここでは、図５及び図９に示すように、「コンテンツＬ−３」と同じシリーズ番組である「コンテンツＬ−１」及び「コンテンツＬ−２」は、「２２：０２」からしか録画されていないこと、及びこれら両者は「２２：５４」までしか再生されていないことから、「コンテンツＬ−３」の再生開始時刻を「２２：０２」に設定し、再生終了時刻を「２２：５４」に設定する。ただし、再生制御情報の作成方法は、必ずしもこれに限定されない。
【０３０３】
実施例１０では、ユーザの過去のコンテンツの蓄積履歴情報と出力履歴情報との両方を利用することで、当該コンテンツ、もしくは当該コンテンツと同じシリーズの別コンテンツの少なくとも一方を再生する際に、ユーザにとって好ましい再生制御情報をさらに適切に作成することができる。
【０３０４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３０５】
本願発明は、コンテンツの記録動作あるいは出力動作を制御するための制御情報を正確かつ容易に作成することができるため、コンテンツの録画もしくは蓄積機能を持つ機器において効率的にコンテンツの記録動作を行うことができ、あるいはコンテンツの再生もしくは出力機能を持つ機器において効率的にコンテンツの出力動作を行うことができる。
【図面の簡単な説明】
【０３０６】
【図１】本発明の一実施の形態に係るコンテンツ処理制御装置の機能的構成を示すブロック図である。
【図２】本実施の形態に係るコンテンツ処理制御装置の各機能部を実現するコンピュータシステムの構成を示すブロック図である。
【図３】図１で示したコンテンツ処理制御装置の主要動作を示すフローチャートである。
【図４】図３のステップS３０１で実行される制御情報作成処理を示すフローチャートである。
【図５】図１に示した処理制御コンテンツ装置の一実施例、他の実施例、及びさらに他の実施例に関し、履歴情報管理部にて蓄積・管理されている蓄積履歴情報を示す説明図である。
【図６】図１に示したコンテンツ処理制御装置の一実施例、他の実施例、及びさらに他の実施例に関し、図５に示したコンテンツの放送日と放送チャンネルと放送時間等の情報を示す説明図である。
【図７】図１に示したコンテンツ処理制御装置の一実施例に関し、作成された録画制御情報を示す説明図である。
【図８】図１に示したコンテンツ処理制御装置の他の実施例に関し、作成された再生制御情報を示す説明図である。
【図９】図１に示したコンテンツ処理制御装置のさらにその他の実施例に関し、履歴情報管理部にて蓄積・管理されている出力履歴情報を示す説明図である。
【図１０】図１に示したコンテンツ処理制御装置のさらにその他の実施例に関し、作成された録画制御情報を示す説明図である。
【図１１】図１に示したコンテンツ処理制御装置のさらにその他の実施例に関し、作成された再生制御情報を示す説明図である。
【図１２】図１に示したコンテンツ処理制御装置のさらにその他の実施例に関し、履歴情報管理部にて蓄積・管理されている出力履歴情報の操作履歴情報を示す説明図である。
【図１３】図１に示したコンテンツ処理制御装置のさらにその他の実施例に関し、作成された録画制御情報を示す説明図である。
【図１４】図１に示したコンテンツ処理制御装置のさらにその他の実施例に関し、作成された録画制御情報を示す説明図である。
【図１５】図１に示したコンテンツ処理制御装置のさらにその他の実施例に関し、コンテンツの放送予定日と放送チャンネルと放送時間と当該コンテンツの嗜好度を示す説明図である。
【図１６】図１に示したコンテンツ処理制御装置のさらにその他の実施例に関し、作成された録画制御情報を示す説明図である。
【図１７】図１に示したコンテンツ処理制御装置のさらにその他の実施例に関し、作成された録画制御情報を示す説明図である。
【図１８】図１に示したコンテンツ処理制御装置のさらにその他の実施例に関し、記録可能残量検出部によって検出された記録媒体の記録可能残量を示す説明図である。
【図１９】図１に示したコンテンツ処理制御装置のさらにその他の実施例に関し、作成された録画制御情報を示す説明図である。
【図２０】図１に示したコンテンツ処理制御装置のさらにその他の実施例に関し、履歴情報管理部にて蓄積・管理されている蓄積履歴情報を示す説明図である。
【図２１】図１に示したコンテンツ処理制御装置のさらにその他の実施例に関し、作成された出力制御情報を示す説明図である。
【図２２】図１に示したコンテンツ処理制御装置のさらにその他の実施例に関し、作成された録画制御情報を示す説明図である。
【図２３】図１に示したコンテンツ処理制御装置のさらにその他の実施例に関し、作成された再生制御情報を示す説明図である。
【符号の説明】
【０３０７】
１０  コンテンツ
１２  ユーザ識別情報
１３  ユーザ嗜好情報
１４  コンテンツ情報
１００  コンテンツ処理制御装置
１０４  ユーザ認識部（ユーザ特定手段）
１０５  コンテンツ蓄積処理部（記録制御手段）
１０６  コンテンツ蓄積部（コンテンツ蓄積手段）
１０７  履歴情報管理部（履歴情報管理手段）
１０８  嗜好情報管理部（嗜好情報管理手段）
１１２  嗜好度算出部（嗜好度算出手段）
１１３  記録可能残量検出部（記録可能残量検出手段）
１１４  制御情報作成部（制御情報作成手段）
１１５  コンテンツ出力処理部（出力制御手段）
１１６  制御情報出力部
【図１】
2006148782.tif 000003
【図２】
2006148782.tif 000004
【図３】
2006148782.tif 000005
【図４】
2006148782.tif 000006
【図５】
2006148782.tif 000007
【図６】
2006148782.tif 000008
【図７】
2006148782.tif 000009
【図８】
2006148782.tif 000010
【図９】
2006148782.tif 000011
【図１０】
2006148782.tif 000012
【図１１】
2006148782.tif 000013
【図１２】
2006148782.tif 000014
【図１３】
2006148782.tif 000015
【図１４】
2006148782.tif 000016
【図１５】
2006148782.tif 000017
【図１６】
2006148782.tif 000018
【図１７】
2006148782.tif 000019
【図１８】
2006148782.tif 000020
【図１９】
2006148782.tif 000021
【図２０】
2006148782.tif 000022
【図２１】
2006148782.tif 000023
【図２２】
2006148782.tif 000024
【図２３】
2006148782.tif 000025